(57)【要約】【課題】従来のパソコンでは、パソコンのキーボードの抑える音が、うるさいと言う苦情が発生し、インターネットの簡単なページ呼び出しも出来ない構造など、ＤＶＤの二層タイプでは、呼び出し時間が、遅くなる欠点が、多く見られた商品が多く特許切れの割りに、高額商品値段を掲示している商品が目立った。【解決手段】高出力ソーラーパネルは、急速光熱電気変換可能な装置で有り、パソコン内部の回路分割アダプタボックスにする事で、誰でも、部品交換修理が、出来て、キーボードを、電波遮断キーにする事で、キーの音を無くし、インターネット等の、ページ呼び出しを簡単にして、ＤＶＤ等の、二層タイプの呼び出しスピードを、速める為に、高出力ＤＣブラシレスモーターの永久磁石分割と電磁石分割を、64分割以上128分割以上の高出力ＤＣブラシレスインバータ制御レール発電モーターにしている。【選択図】図1
2011060294.tif 000002
【特許請求の範囲】
【請求項１】
本発明の、発電タッチパソコンに内蔵積載する表裏両面磁気ICMDカードは、表裏両面を、ＣＤにしたＭＤ構造に対して、空いているＭＤ空間を複数層重ねの圧電素子磁石体を、
活用した磁気ＩＣを、ＭＤの空いている空間に内蔵させて、ＭＤカバーからデーター入出力を可能にした表裏両面磁気ICMDカードを、積載内臓した発電タッチパソコンで有る。
【請求項２】
本発明の、発電タッチパソコンに内蔵積載する映像パネルは、電気熱ガラス発電出来る軽水素トリチウム電子入りシリコン網シート内蔵クリスタル二枚合わせ発電ガラスと軽
水素トリチウム電子入り圧電素子磁気粒子入りシリコン熱発電シートと軽水素トリチウム電子入り圧電素子磁石体シートパネルを覆う形状にした軽水素アルゴン入りシリコン
ダイオード画像パネルシートに、映像波を流す事で、軽水素トリチウム電子とアルゴンガスを、混合合成したガスとシリコン液とダイオード液を、混合合成した超マイクロパ
ネルシートを熱発電パネルの軽水素トリチウム電子入り圧電素子磁気粒子入りシリコン熱発電パネルシートに貼り付けた液晶画像パネルと異なった電気熱発電パネルシートに
軽水素電子ガスを混合内臓したシリコンダイオド画像パネルシートを内蔵積載した発電タッチパソコンで有る。
【請求項３】
本発明の、発電タッチパソコンに内蔵積載する画像選択認識切換え装置は、通常タッチパットの他に、超小型のタッチパットと同じ大きさのカバー取り付け型の携帯電話回線
とインターネット回線のタッチ液晶とナビゲイション回線と全自動ロボット回線とテレビ回線のタッチパネルによって、パソコン本体の画面切換え及び連続呼び出し画像の呼
び出しの為のタッチ画面呼び出しとページの行数の呼び出しが、リモコンマウスとタッチパットと二つの超小型液晶タッチパネルとパソコン本体画像パネルによって、画像切
換え画像選択及び画像出来るスイッチパネルを、積載内臓した発電タッチパソコンで有る。
【請求項４】
本発明の、発電タッチパソコンに内蔵積載する電源は、軽水素トリチウム電子入り圧電素子磁石体粒子内蔵シリコン熱発電パネルに、竹粒子麹菌スイトコン茎粒子入り軽水素
酸素水内蔵発酵パネルに発酵熱絶縁真空二重構造にした3年間程充電交換しなくても、連続発酵熱発電出来る発電池を積載内臓した発電タッチパソコンで有る。
【請求項５】
本発明の、発電タッチパソコンに内蔵積載する電波遮断タッチキーは、パソコン本体に有る90個のパネルキー面に指タッチする事で90個の弱電波発信の指遮断する事で、弱電
波受信認識しているパソコン回路が90個の指電波遮断パソコン回路が弱電波遮断ボタンスイッチの位置認識確認してパソコン作動実行出来る弱電波の指遮断スイッチキーを、
積載内臓した発電タッチパソコンで有る。
【請求項６】
本発明の、発電タッチパソコンに内蔵積載する軽水素トリチウム電子入り圧電素子磁気粒子内蔵複数カラーシリコン熱発電パネルは、光発電と熱発電出来る高出力ソーラーパ
ネルの軽水素トリチウム電子を多く入ったシリコンソーラーパネルに圧電素子磁気粒子を内蔵積載した装置にシリコン色を変える為のカラー絵の具ペンキ材を、シリコンに混
合合成した複数カラーソーラーパネルを、デザイン画状にカラーシリコンをデザイン上に組み合わせ接合した体温でも発電出来る熱発電構造と光発電率の世界最高レベルの高
出力ソーラーパネル発電構造装置を積載内臓した発電タッチパソコンで有る。
【請求項７】
本発明の、発電タッチパソコンに内蔵積載するパソコン回路は、取り外し可能な熱発電テレビ回路アダプタボックスと取り外し可能な熱発電地上デジタルチューナアダプタボ
ックスと取り外し可能な熱発電衛生デジタルチューナボックスと取り外し可能な熱発電EM多情報カードアダプタボックスと取り外し可能な熱発電多層構造ICアダプタボックス
と取り外し可能な熱発電CPUアダプタボックスと取り外し可能な熱発電省電気消費メモリRAMと取り外し可能な熱発電分割マザーボードアダプタボックスと取り外し可能な熱発
電両面MDハードデスクと熱発電と取り外し可能な高出力発電回路アダプタボックスを積載内蔵した発電タッチパソコンで有る。
【請求項８】
本発明の、発電タッチパソコンに内蔵積載する映像波ノイズ取り除き装置は、軽水素トリチウム電子入り圧電素子磁石体粒子内蔵シリコン熱発電パネルシートを被せた二つの
プラス圧電素子磁石体とマイナス圧電素子磁石体に、プラス映像波を、圧電素子磁石体の磁気の一番弱い部分に取り付けた配線にプラス映像波を流してプラス圧電素子磁石体
の磁気の一番強い部分に取り付けた電気配線から、プラス映像波ノイズを取り除いたプラス映像波と熱発電出来るパネルシートを巻いたマイナス圧電素子磁石体にマイナス映
像波を圧電素子磁石体のマイナス圧電素子磁石体の磁気の一番弱い部分に取り付けた配線から、圧電素子磁石体のマイナス磁気の一番強い部分に取り付けたマイナス配線から、
マイナスノイズを取り除いた圧電素子磁気磁界線整流して映像波ノイズを整流出来る映像波ノイズ取り除き装置を積載内臓した発電タッチパソコンで有る。
【請求項９】
本発明の、発電タッチパソコンに内蔵積載する映像電波ゴースト取り除き装置は、圧電素子磁石体のチタン酸バリウムをシート状にした物質に軽水素トリチウム電子入りアル
ゴンガスを内蔵積したシートと圧電素子磁石体パネルシートを交互に重ねた二種類のプラス特殊圧電素子磁石体とマイナス特殊圧電素子磁石体のプラス磁気の弱い部分の電気
配線からプラス磁気の強い部分の電気配線にプラス映像波を流して映像プラス電波ゴーストを取り除き、圧電素子磁石体のマイナス磁気の弱い部分の電気配線からマイナス映
像波を流して、圧電素子磁石体のマイナス磁気の一番強い部分に取り付けた電気配線から、映像マイナス電波ゴーストを取り除く事が出来る装置と電気熱発電出来る配線付き
電気熱発電シートを内蔵した映像電波ゴースト取り除き装置を積載内臓した発電タッチパソコンで有る。
コメント
2010年7月29日pm21時16分寝る時間なのでペンを置く墫野和夫で有る。
コメント
2010年8月16日am6時53分新しいバックライト無の液晶テレビの図面書きが、出来た為、特許提出を、請求項10のみだけで、日本の特許庁へ提出する事に成り、残り文章は、手
続補正によって、一度に出す手段で、企業及び日本の大学の対抗策として、行く時が来たので開始する千葉県の墫野和夫で有る。
【請求項１０】
本発明の、発電タッチパソコンに内蔵積載する映像パネル構造は、クリスタルガラスに、軽水素トリチウム電子入り映像配線付きアルゴンシリコン網シートと映像配線付き軽
水素入り液晶網シートの二枚の画像網シートを、合わせて使用する事で、液晶バックライトを必要としないガス網シート液晶テレビを、積載内臓したテレビ画面とパソコン画
面を積載内蔵した発電タッチパソコンで有る。
【請求項１１】
本発明の、発電タッチパソコンに内蔵積載する映像パネル構造は、軽水素トリチウム電子入り夜光材合成圧電素子磁石体粒子内蔵シリコン画像画面熱発電パネルシートを、軽
水素入りアルゴンシリコン網シート合わせの軽水素入り液晶網シートの二枚合わせ映像パネルシートの後ろに部分光反射発電シートの夜光材入りの軽水素トリチウム電子入り
夜光材合成圧電素子磁石体粒子内蔵シリコン画像画面熱発電パネルシートを積載内臓したテレビ画面パネルとパソコン画面パネルを、積載内臓した発電タッチパソコンで有る。
【請求項１２】
本発明の、発電タッチパソコンに内蔵積載する映像パネルの映像パネル光の映像パネル裏反射板構造は、軽水素入りアルゴン内蔵シリコン発電網シートの裏面の映像網の発生
する光を、軽水素入り液晶網シートの映像パネルの反射板に必要とする映像パネル光を、軽水素入りアルゴン内蔵シリコン発電網シートの裏面発光の光を、軽水素入り液晶網
シート部分の画面に必要とする光を、超薄板の反射を軽水素トリチウム電子入り夜行材合成圧電素子磁石体粒子内蔵シリコン画像画面熱発電パネルシートの後面に、光反射板
を取りつける事で、軽水素入りアルゴンシリコン発電網シートの裏の光によって、軽水素入り液晶網シートは反射板の光によって、二つの異なった映像網パネルを一つの映像
パネルの光反射板装置を内蔵積載した発電タッチパソコンで有る。
【請求項１３】
本発明の、発電タッチパソコンに内蔵積載するモーターは、プラス静電気発生装置とマイナス静電気発生装置の二つと静電気絶縁壁板装置を高出力モーター内コイルの中間地
点に内蔵した構造と、絶縁シートをモーター内コイル壁の一部に貼り付ける事によって、静電気モーターブレーキ反発を避けた構造の16分割以上静電気絶縁壁板を、内コイル
板の一部とした、高出力静電発電モーターを内蔵積載した発電タッチパソコンで有る。
【請求項１４】
本発明の、発電タッチパソコンに内蔵積載する液晶画面タッチ文字認識装置は、液晶にタッチした指で描いた文字と文章を、認識して、パソコンカメラの全自動作動及び、パ
ソコンに内蔵して有る機能項目全てを、液晶画面タッチ文字認識装置を内蔵積載した発電タッチパソコンで有る。
【請求項１５】
本発明の、発電タッチパソコンに内蔵積載する高出力ＤＣブラシレスインバータ制御発電レールモーターの永久磁石数と電磁石数とインバータ制御装置数と絶縁体数を、それ
ぞれ128個以上にする事とで、ＤＣブラシレスモーターの軸回転制御を、128分割以上の円周分割にする事で、ＤＶＤの三層及び四層以上の、モーター軸ミリ単位制御を、256分
割以上モーター軸分割及び、512モーター以上軸分割にすると同時に512個以上のインバータ制御装置を内蔵積載した高出力ＤＣブラシレスインバータ制御発電レールモーター
軸構造にしたＤＶＤ及びＣＤ及びＭＤの三層以上にした装置の読み込み書き込みを可能にした高出力ＤＣブラシレスインバータ制御発電レールモーターを積載内蔵した発電タ
ッチパソコンで有る。
【発明の詳細な説明】
【技術分野】
【０００１】
本発明は、一般社会の低所得者の電気消費生活を、抑えた発電回路内蔵の液晶タッチパソコンに関する構造説明で有る。
【背景技術】
【０００２】
従来の一般社会のパソコンは、文字スイッチの押す音が騒がしいパソコンが目立った。
また、一般社会でパソコンの充電池に使われているリチウム電池は、コバルトの為、放射性廃棄物が、出る為、リチウム充電池専門の放射性廃棄物処理施設と保管施設が、実
際に無いのは、テレビマスコミで、説明しない為、明らかな事実は、公表されていない現状で有る。
【０００３】
以下、図20により、従来のパソコン構造説明を始める。
図20に於いて、図128は、通常液晶で有り、タッチ画面式も、無く、有機ＥＬ画面及びガスブラウン管画面などが、市場販売されているのが現状で有り、129は、片面ＤＶＤで
有り、カード挿入型及びフレキシブルデスクが有るのが、通常構造で有り、ミッション式超小型モーターが支流で有り、130のタッチパットの他、コードマウスとリモコンマウス
等が有り、131のキーボードは、指押しキーで有り、132のリチウム充電池のほか水素ニッケル充電池が有り、133の外部接続ジャックは、他の機器と接続する為の接続口に成り、
134の外部電気コンセントは、100ボルトの通常家庭コンセントに成り、135の蝶つがい装置に成り、片面液晶の二つ重ね装置が支流で有り、136の加工プラスチック板表面は、
デザイン画などが支流で有り、一色の物が目立ち、138のスピーカーポリウムスイッチに成り、139のイヤホーンジャック口に成り、137の通常パソコン本体のキーボードの下に
マザーボード及びテレビチューナなどが、回路板パネル状に一つに成って組み込まれているが、大まかな部品交換しか出来ない構造で有り、構造知識の無い物は、修理は、か
なり困難なパソコン構造なのが現状構造で有る。
【先行技術文献】
【特許文献】
【０００４】
【特許文献１】特願2009ー271665号公報の二つ折液晶携帯電話の液晶タッチキーボードが有り、タッチ液晶キーの優先権主張に成る。
【０００５】
【特許文献２】特願2006ー140535号公報のレールモーター別名ＤＣブラシレスモーターの先技術優先著作権主張に成る。
【０００６】
【特許文献３】特願2004ー304992号公報の電気中の熱抵抗電気を取り除く装置で有り、急速充電装置としても使用可能な世界最新技術で有る。
【０００７】
【特許文献４】特願2010ー82号公報は、高出力モーターの先技術の優先権主張に成り、世界最新技術で有り、電気消費がもっとも少なくする事が出来る装置で有る。
【０００８】
【特許文献５】実願2010ー4880号公報の発電回路技術は、電気を通しただけで発電するダイナモと異成った発電装置の優先権主張で有り、高出力技術の優先権としては、特願ー2006ー140535号公報の軽水素入り炭素シリコン技術と図説の圧電素子磁石体内蔵技術のダイナモ装置に成る。
【発明の概要】
【発明が解決しようとする課題】
【０００９】
以上に述べた従来のパソコンでは、131のキーボードでは、音がうるさい欠点があり、132のリチウム充電池は、コバルト使用の為、放射線廃棄物の部類に入り、放射線廃棄物
の処理方法と処理場所も、決まって無い為、放射線廃棄物が、溜まる現状に成り、129の片面ＤＶＤの場合、データーの記録が、少ないのも、現状で有り、137のパソコン本体
のマザーボード及びテレビチューナ及びパソコン回路が、一つに成ってる為、修理に手間がかかり過ぎる欠点が有った。
【００１０】
本発明は、このような従来の構成が有していた問題を解決しようとする問題で有り、充電池には、軽水素ニッケル充電池の急速充電型の水素ニッケル以上の急速充電出来る充
電池を、使用する事で、環境に優しいリサイクル充電池構造として、パソコンのキーボードには、電波遮断型タッチキーを使用して、超小型液晶のタッチキーパネルを、新た
に二つ追加したタッチ液晶パネルを、他社より、逸早く構造形状に用いる事で、スピードパソコン作業を可能にした先技術を実現しようとするもので有る。
【００１１】
更に、現代社会では、パソコンの充電池切れが速い為、野外での、パソコン使用活動が、充電池時間によってパソコン使用が制限されている。
【００１２】
今までのパソコンは、故障した場合、専門の企業修理屋の手で無ければ、修理出来なくて、数百円の部品に対して、修理費だけで、1万〜1万五千円〜2万以上の工賃が、取られ
る事に成り、電気店の修理出来る店は、減って来ているのが現状で有り、誰でも修理出来るようにする事を目的とするもので有る。
【課題を解決するための手段】
【００１３】
そして、本発明は、上記目的を達成する為に、パソコンのキーを、指タッチ式の液晶パネルボタン式構造と、弱電波遮断型のタッチパネル方式の音のしないパソコンキーとし
て、パソコンキー一つ一つに弱電波発信装置と弱電波受信装置を内蔵した90個余りのパソコンキーを、押しボタンキーと異なり、液晶タッチキーと異なる指でパソコンキー部
分を触るだけで、スイッチ認識出来る弱電波遮断型キーを内蔵積載する事で、人の多い所でも、音を気にしないでパソコン作業出来る装置構造説明で有り、弱電波送信装置は、
無線波に於いての、弱電波送信装置と圧電素子磁石体の弱電波キャッチ体が使用積載内臓されているのも現状構造で有る。
優先権主張説明
指タッチ液晶パソコンの優先権主張として、特願2009ー271665号公報に成り、更に、先技術著作権文書説明としては、2008年に既に、文書化として、知的所有財産の文章とし
て、既に書きあげられており、著作権先技術原本の北海道庁知事の郵便物受理書図付きの、著作権文章つまり、テレビ放映及び大学論文及び新聞公開文章と同じ著作権財産権
を主張できる知的所有財産文章を、日本の経済産業省の知的所有財産課が、既に確認済みの、タッチ液晶画面スイッチタイプの知的所有財産で有り、日本の特許庁の総務部が、
既に、墫野和夫が、既に、国の全額借金返済と都道府県市町村区の全額借金返済の為に、書きあげて有った知的所有財産の文章図面を、経済産業省同様に、確認しているのも
事実で有り、特許法の発明の保護及び日本の国の全額借金返済活動と都道府県市町村区の全額借金返済活動を特許庁及び経済産業省が、職権を使って止めるならば、国の全額
借金返済しようとする国民の自由な先著作権新技術を、無視する行為と都道府県市町村区の全額借金返済の為の先著作権技術を、無視する人権無視の行為に成った場合は、大
変で有るからで有る。
理由、
テレビ報道及び新聞報道及び本などの印刷物には、著作権登録番号及び、特許番号及び実用新案番号の書き込み明記義務及び罰則が無い為、パリ条約に基ずいて、海外の特許
庁に出したならば、日本の特許庁に出さなくて良いと言う風習が、日本の企業及び、日本の大学に残ってる為、更に、原子力海外売電で、得た世界企業資産の第1位〜第2位の
世界企業資産を、全て海外株買い取りに費やした為、バブル前当時、バブル時は、日本企業株を、海外原子力売電資金利益者達が、日本株を、一株も、買わないだけで無く、
日本企業自体が、日本の株を買わないで、海外株だけを、買っていた時代が有り、その為、バブル崩壊によって、混乱が起きたのは言うまでも無い。
従って、著作権に対して、同一著作権は、どちらが、先著作権の発生なのか、説明して、明らかにして、著作権は、特許文章と実用新案文章を書く為の大事な第一歩で有り、
絶対必要で有り、大事な作業で有る。
不正競争防止法の現在の状況説明。
不正競争防止法のパンフレットは、特許庁本館でも、手に入るが、肝心の著作権番号の明記義務と特許番号の明記義務と実用新案の明記義務は、経済産業省長官も、知ってい
るはずですが、不正を正す番号明記が、無い事で、国民が、同一財産使用に対して、著作権使用料と特許使用料と実用新案使用料に対して、特許権認定に成って無い、特許公
開物件は、日本国内に無ければ、著作権文章に成り、著作権使用料を払わなければ、著作権横領に成り、国の官庁対応としては、著作権先技術の特許公開物件の保護をしなけ
ればならないのも、事実だが、特許庁は、著作権先技術文章を、著作権横領としては、理解していないのも、現状なのは、本田技研のＤＣブラシレスモーターで有り、東芝の
洗濯機を、一例に上げると、本田技研のＤＣブラシレスモーターと同じモーター形状のモーターを、東芝は、パンフレット紹介の元で、作っているも、現状で有る。
しかしながら、本田技研のＤＣブラシレスモーターが、既に、特許認定で有る以上、東芝の洗濯機は、全世界の販売に対して、特許権使用料を、本田技研に数拾万〜数万円、
洗濯機一台に対して、支払っていなければならない。
従って、洗濯機全世界の販売の特許権使用料金の利益収入は、2011年の企業利益の海外所得税を、含めて特許使用料は、日本国内のむ特許権の為、洗濯機一台の利益が、数拾
兆円〜数百億円に成る理由として、パソコンモーターのＤＣブラシレスモーターのソニーパソコン技術に対しても、モーター特許権に成ってる為、ソニーパソコンも、特許権
介入に成り、他社が、冷蔵庫モーター及び、クラーモーター及び電子レンジモーター及び電気ストーブモーター及び電気掃除機モーター及び他の電気製品のＤＣブラシレスイ
ンバータ制御モーターを、無断使用ならば、特許権の20年の全世界販売総合料金だけ、本田技研は、最低でも、回収出来る為、明らかに、日本企業は、最低でも、倒産する事
が事実に成り、ＮＨＫ放送の世界の特許賠償のバーコードつまり、アメリカの財団の特許賠償が、3倍賠償に成り、当時の25年特許に対して3倍の75年分を、ビックスリーのフ
オード車及びＢＭ車など、6社余りが、談合にて、現在のアメリカのバーコードを所有している会社の特許権作品横領によって、6つの会社が、破たん寸前に成り、紙切れ同然
の6社の株を買いこんだのが、当時の海外原子力売電の日本企業で有り、此の事で、日本の海外売電事業利益者は、世界のビックスリーの主導権を握り、株式利益を得る事によ
り、原子力海外売電利益と世界ビックスリーの株の主導権を、この当時は、握っていた為、アメリカ進出のソニー銀行及び本田銀行など、アメリカ進出の日本企業が、増えて
行った隠れた理由が、特許の3倍賠償が、もたらした隠れた事実が、ビックスリーの紙切れ同然の株を、多くの資金で、買う事の出来る海外原子力売電資金と言われても、うな
ずくしか無いのが、原子力売電利益が、全世界の毎日の電気使用料金として、入って来ていたのが、事実で有り、しかしながら、海外売電所得税は、おそらく一円も日本国の
国税庁には、納められていないのも、現状で有ると思える。
今回の本田技研のＤＣブラシレスモーターの特許権に対して、たまたま得た資料に、東芝の洗濯機のＤＣブラシレスリニアーモーターと言っても、どの様に説明しても、同一
モーターに成り、ソニーのパソコンに使用されているモーター技術が、本田技研の特許権に対してのＤＣブラシレスモーターで有り、ＤＣブラシレスモーター自体が、内コイ
ルモーター及び、外コイルモーターの電気消費より、完全に、明白に電気消費が、少ない為、1万〜4万の洗濯機が、10万でも、買った方が、毎日使う洗濯機ならば、特に成る
のは、言うまでもないが、本田技研が本当の先技術特許者ならば、日本の企業全体に特許裁判を、早めに行う事が、日本企業を、潰さない為の対策と言える。
ただし、不可思議なのは、海外では、墫野和夫の方が、先技術著作権として、認められるのは、特願2006ー140535号公報の図面に北海道庁先技術著作権受理書付きのＤＣブラ
シレスモーターの技術説明が、明記されているのも事実で有るからで有る。
最後に、経済産業省と特許庁が、テレビ放送及び新聞印刷物に特許明示の義務と著作権番号の明記義務と本印刷物の特許番号明記義務とパンフレットの特許番号明記義務をし
ない理由として、弱者国民に、特許捜査と著作権捜査の無駄な金を使わす事で、特許提出を遅らせている理由としか取られない理由として、食品は、何拾円〜何百円の物でも、
産出国など、内容物などの明記義務が、有るが、不思議と高額な商品に対しては、国の経済産業省と特許庁が、墫野和夫が、直して戴きたいと何度もお願いしても、無視され
る一方なのは、経済産業省長官と前の政権の自由民主党で、なんらかの利益問題で、止めていると言われてもしかたないのが、食品の何拾円〜何百円の義務化が、何千円〜何
万円〜何拾万円〜自動車の何百万円及び何千万円の商品に対して、食品の格安商品では、産出国及び内容物明記が、出来るのに、高額になると出来ない理由を、国会で、経済
産業省職員一人一人と特許庁一人一人から、事情徴収しなければ事の終始を得る事が、出来ないのか不思議と考えらせられる不正競争防止法の現状で有る。
【００１４】
また、第2の課題解決手段として、パソコンの液晶画面の無駄にする電気熱を、瞬間に電気熱磁気変換して電気に瞬間に変える技術として、軽水素トリチウム電子入りシリコン
網シート内蔵プラスチック2枚合わせ光熱発電ガラスは、軽水素トリチウム電子入りシリコンシートによって、熱を軽水素トリチウム電子が、瞬間吸収して、シリコン熱電子吸
収にによって発電出来る装置を、液晶プラスチックガラスに内蔵させた構造で有る軽水素トリチウム電子入りシリコン網シート内蔵プラスチック2枚合わせ光熱発電液晶ガラス
で有る。
更に、軽水素アルゴン入りシリコンダイオード画面パネル及び軽水素アルゴン入りシリコンダイオードに、映像波を流す事でアルゴンガスと軽水素トリチウム電子効果によっ
て、画像化すると同時に電気熱は、軽水素入りシリコンダイオードによって、画像電気熱を軽水素トリチウム電子熱をシリコンダイオードの熱吸収発電出来る新技術は、画像
ガラスパネルの熱発電システムとのダブル熱発電技術に成り、画像パネル熱を、更に電気化スピードを上げる為、軽水素アルゴン入りシリコンダイオード画像パネルシートに
貼り付ける構造状態として、軽水素トリチウム電子入り圧電素子磁石体粒子内蔵シリコンシートを貼り付ける構造にする事で、熱を、軽水素トリチウム電子シリコンが、瞬間
吸収して、熱電子を瞬間に圧電素子磁気化して、熱電子磁気分別を、瞬間に熱を、磁気電気化する技術によって、パソコン及びテレビ映像の電気熱を、瞬間に磁気電気化する
事が、出来る為、有機ＥＬ画像パネルの省エネルギー化に対しても、大事な世界最新技術に成り、液晶パネルの場合、液晶に軽水素トリチウム電子を入りシリコン網を貼つた
り、液晶内蔵させりする技術によって、液晶の発生させる熱を、電気変換させる事の出来る技術に成り、本来の技術として、軽水素トリチウム電子は、水素中の重水素を取り
除いた水素の事を、軽水素トリチウム電子と言う物質に成り、電子が二つの電子の結合体と言えるのが、軽水素トリチウム電子に成り、特許性の濃い世界最新技術と言えるの
は、重水素は、プルトニウムに電子1つの結合体の為、軽水素より、熱吸収が少なく成り、水素に於いても、質量的にプルトニウムが、熱吸収の邪魔をする為、水素も、軽水素
より、熱吸収が少なく成り、この他、蛍光管に使用するアルゴンガス及びネオンガス等も、熱吸収ガスの部類に成るが、軽水素トリチウム電子より熱吸収が少なく成り、この
他、アンモニアガス及びブタンガス及びメタンガスなども、熱吸収するガスの一部と言える。
従って、世界最新技術の軽水素トリチウム電子入りシリコン技術によって、少ない熱を取り込み易くした軽水素トリチウム電子入り技術と軽水素トリチウム電子入り圧電素子
磁石体粒子入りシリコン技術は、熱を瞬間に磁気電子に分ける事が、可能にした世界最新技術に成り、あらゆる熱源に使用出来る特許性の濃い熱を磁気電気に変える世界最新
技術説明に成る。
特許性の濃い財産に成る。
優先権主張説明。
特願2009ー272665号公報及び特願2010-82号公報及び特願2010ー163756号公報の熱瞬間吸収磁気電気変換装置説明。
【００１５】
また、第3の課題解決手段として、軽水素トリチウム電子入り圧電素子磁石体粒子内蔵シリコンソーラーパネルの高出力ソーラーパネル技術は、第2の課題解決で説明した技術
の応用技術に成り、軽水素トリチウム電子入り圧電素子磁石体粒子入りシリコンは、太陽光を炭素シリコンと同じだけ圧電素子磁石体粒子入りシリコンが、熱吸収し易くシリ
コンを化合物化して、太陽光だけでなく周囲の外気温吸収する事の出来る技術として、軽水素トリチウム電子入りシリコン技術に成り、周囲の熱及び太陽光熱を、シリコンの
内部に、混合合成した軽水素トリチウム電子効果によって、外気温と太陽光熱を、軽水素トリチウム電子が、熱電子吸収し易くする為に、シリコンに軽水素トリチウム電子を
内蔵させて、瞬間吸収した熱電子シリコンを、瞬間に磁気電気化する新技術として、圧電素子磁石体粒子を、軽水素トリチウム電子入りシリコンに内蔵させる技術によって、
太陽光発電率を、軽水素トリチウム電子入り炭素内蔵シリコンより、電気変換スピードを上げる世界最新技術が、圧電素子磁石体を、炭素の代わりに軽水素トリチウム電子入
りシリコンに入れる世界最新技術に成り、携帯電話の大きさのパソコンに於いては、人間の体温吸収でも、発電出来るのが世界最新技術の特徴に成る。
従って、軽水素トリチウム電子入り圧電素子内臓シリコンパネルの上に、軽水素トリチウム電子入りカラー塗料シリコンの切り絵シートを貼る技術の他、軽水素トリチウム電
子入りシリコンシートに、デザイン画を、印刷した軽水素トリチウム電子入りシリコンシートを、複数重ねたデザイン画の軽水素トリチウム電子入りシリコンシートを、軽水
素トリチウム電子入り圧電素子磁石体粒子内蔵シリコンパソコンパネルに貼り付ける事で、カラーデザイン画の高出力ソーラーパネル発電が可能に成り、圧電素子磁石体を使
用した圧電素子4電子磁気分割装置によって、電気中の熱抵抗電気を圧電素子磁気分割方式によって、熱抵抗電気だけ通常電気中から取り除く事を可能にした技術によって、パ
ソコンに内蔵積載したソーラーパネルで発電した電気を、充電池等に急速充電を可能にした世界最新の高出力ソーラーパネル技術とデザイン画の高出力ソーラーパネル発電新
技術に成る。
この他、カラー高出力ソーラーパネルのデザイン画を、組立て貼り付ける高出力ソーラーパネル発電方法が有り、ソーラーパネルを、デザイン画として使用した例は無く、ソ
ーラーパネル自体を宣伝用広告発電パネルとした実例も無い為、今後の宣伝広告発電パネル事業として、活躍出来る世界最新技術に成る。
特許性の濃い財産に成る。
優先権主張説明。
特願2006ー140535号公報の軽水素炭素内蔵シリコンソーラーパネルの軽水素炭素シリコンの高出力技術と図面の通常ダイナモに、圧電素子磁石体粒子を入れた高出力ダイナモ
構造説明。
【００１６】
また、第4の課題解決手段として、パソコンのタッチパット横に、タッチパット程の大きさの超小型液晶パネルを二つ取り付けた技術説明として、パソコンが、外部電源無しの
自動充電池及び自動電池積載パソコンの発電池積載時代では、携帯電話とパソコンを一体化して、ロボット情報のインターネット時代とカーナビゲイションカメラデーターの
インターネット時代に対応した一度に三つ以上の画像を、別々の画像パネルで確認出来るパソコンを、貧困社会層に低下価格提供する事を、目的としたパソコンの三画面画像
システムに成り、この他、三つ折りの三つの画像パネルパソコンと四つ折りの画像パネルパソコン及び携帯電話の著作権デザインとして有るが、一度に三つ以上の情報確認を
する為の手段として、今回のパソコンの液晶画面位置取り付け技術に成り、タッチ液晶は、海外国の特許切れ技術に成り、特許切れ著作権新技術は、実用登録に成る為、今回
は、画面タッチスイッチ液晶が、可能な液晶パネルの積載に成った理由に成る。
更に、有機ＥＬ画面のタッチパネルは、液晶のバックライト遮断認識指タッチスイッチキーで無い為、有機ＥＬだけでは、画面タッチスイッチキーには成らない為、有機ＥＬ
画面状に縦のラインの複数の弱電波送信線と複数の受信線を取り入れて、有機ＥＬ画面状の横のラインに複数の弱電波発信装置と複数の弱電波キャッチ体が必要に成り、更に
液晶パネルに用いれられている液晶画像パネルカバープラスチックカバーを取り付けた構造する事で、有機ＥＬ画面上の画面位置認識させる事によって、有機ＥＬ画面上でも、
指画面タッチ認識出来る理由に成る。
この他、パソコンに、複数の超小型カメラを、4台以上設置して、カメラからの、指タッチ認識位置を、カメラ画像認識して、カメラ指タッチ画像認識データーを、実際のパソ
コンデーターと組み合わせる事によって、有機ＥＬでも、指タッチ画面を可能にした技術は、特許性が有っても、特許の評価は、下がる理由として、液晶タッチ画面の特許切
れが事実だからで有る。
従って、特許使用料金は、望めない技術で有るが、有機ＥＬ画面及びブラウン管画面及び発電画像パネルでは、必要に成る技術と言える。
但し、今回は、超小型の液晶タッチパネルの使用に成る。
カメラ認識は、パソコンの画像色彩位置認識が、カメラの画像認識の軽水素トリチウム電子入りダイオード画像カメラ認識ＣＣＤ技術に成る。
超小型液晶パネル二つは、電気熱発電液晶パネル構造に成る
特許性の濃い財産に成る。
優先権主張説明。
2008年秋に、経済産業省の知的所有財産課に提出した25項目近くの、著作権特許知的所有財産文章の中の一つ及び特許庁総務部提出の経済産業省の知的所有財産課に出した25
項目の著作権特許文章と同じ作品を先技術として、閲覧発明発生事実確認の為に、特許庁総務部及び特許庁長官提出。
【００１７】
また、第5の課題解決手段として、パソコンのキーボードを、音のしない平板パネルに指が入るだけの窪みを、パソコンキーボードに、90箇所余り作った構造に対して、指当て
部分の90箇所それぞれに、超小型の弱電波発信装置と弱電波受信装置を、90箇所づつ設けたパソコンキーボードに、指を当てる事によって、弱電波が遮断認識されて、パソコ
ンキーの読み取りが、可能に成る装置説明で有り、液晶タッチパネルと異成る構造に成り、今まで同部屋のパソコンキーの音がうるさいで困っていた悩み解消には、成る新し
いパソコンタッチキーの構造の違うパソコンキーボードに成る。
従って、超小型の弱電波送信装置は、90箇所の弱電波発信装置は、超小型の銅筒官コイル配線の銅線を、筒状にした中に軽水素トリチウム電子を、圧電素子磁石体に混合内蔵
した粒子を、銅筒官に内蔵したコイル配線新技術積載使用と超小型の熱発電絶縁体として、軽水素トリチウム電子入り圧電素子磁石体粒子内蔵シリコンシートで包んだ軽水素
トリチウム電子入りの炭素と圧電素子磁石体を混合合成した物質を、熱吸収発電装置としての軽水素トリチウム電子入り圧電素子磁石体粒子内蔵シリコンシートで、包んだ超
小型の熱発電コンデンサーなどの新技術内蔵積載した弱電波発信装置と弱電波キャッチ体には、新技術の軽水素トリチウム電子入り圧電素子磁石体粒子と電波受信金属粉を、
混合合成した弱電波キャッチ体で有る。
特許性の濃い財産に成る。
優先権主張説明。
特願2009ー271665号の多機能携帯電話
第2優先権主張説明。
経済産業省の知的所有財産所有課に、2008年秋に25件近くの特許文章に書き上がってる著作権知的所有財産文章の中のテレビ分野の、ＬＥＤ液晶テレビのバックライト新技術
の増幅ダイオード電子の説明技術文章に対して、経済産業省の知的財産所有課と特許庁総務部が保管している事実で有り、墫野和夫以外、北海道知事が、保管している。
【００１８】
また、第6の課題解決手段として、パソコンのＣＤをＭＤ化して、表裏両面の書き込みのＭＤ両面のＣＤ書き込みする為、ＭＤケースに卵穴空洞を、表裏両面に取り付けた録画
再生の両方が可能な、正方形ＭＤの空いている四隅の部分に、他社と異なる圧電素子磁石体粒子を使用した磁気書き込み及び読み込みシートを、複数重ねした磁気カードを四
か所を、表裏両面ＭＤに、内蔵した卵型空洞付き表裏両面ＭＤで有る。
利点として、ＭＤ内部の、ＣＤの傷つき防止対策と、データーを、ＣＤ以外の四か所の磁気に内蔵出来るのも、特徴の一つで有る。
特許性の濃い財産に成る。
優先権主張説明。
経済産業省の知的財産所有課に2008年秋に提出した25作品の著作権の知的所有財産の内の表裏両面ＭＤの文書著作権説明で有る。
【００１９】
また、第7の課題解決手段として、パソコンのハードデスクに使用されているモーターは、通常モーターの超小型モーターが、支流で有り、通常モーター制御として、特許切れ
のインバータ制御装置を、使用するのが支流で有るが、熱電気溜まりを起こす為、モーターのデスク読み込みスピードとデスク読み込み認識位置が、定まらない欠点が、日本
製品に多くみられたのは、技術的に、電気熱を、起こすモーター熱とコンデンサー熱と電気抵抗体熱と電気配線熱と通常電気熱は、一度に取り除く技術として、固形窒素冷却
パネル及びヘリウム冷却パネル及びフロンガス内蔵炭素固形窒素カバープラスチック冷却シート等の新技術などを、施した場合、水滴処理問題が発生する為、中々、冷却パネ
ルを使用しないのが、現状で有る。
従って、電気熱の上がらないモーターとして、高出力ＤＣブラシレスレールモーター構造は、通常のＤＣブラシレスモーターの電気消費を、更に少なくしたＤＣブラシレスモ
ーターに成り、構造は、軽水素トリチウム電子入り圧電素子磁石体シートパネルと複数針穴形状の軽水素トリチウム電子入りチタン酸バリウムシートパネルを、交互に重ねた
高出力圧電素子磁石体に、軽水素トリチウム電子入り圧電素子磁石体粒子を、網形状の磁石鉄線に軽水素トリチウム電子入り圧電素子磁石体粒子を、被せたシートパネルを高
出力圧電素子磁石体に被せた構造の軽量の合成人工磁石体で有り、電磁石は、超軽量の新技術の銅筒官コイル配線を、高出力圧電素子磁石体に、巻く事で、少ない電気で電磁
石に成る新技術の電磁石は、更に発生する電磁石熱を、電気変換する為に、新技術の軽水素トリチウム電子入り圧電素子磁石体粒子内蔵シリコン熱吸収発電シートを貼る事に
よって、今までコイルから放熱していた熱エネルギーを、磁気電気変換する技術によって、更に、世界最小の省電気消費モーターとして、他社に無い高出力新技術として、モ
ーター業界のトップシェア―技術独占時代とも言えるのは、優先権技術として軽水素トリチウム電子入りの炭素シリコンの電子増幅技術の高出力新技術と通常ダイナモの中心
部分に圧電素子磁石体を入れる電気増幅技術の高出力新技術及び水発電機の液体マグネシウムカバーパネルに使用する複数針穴形状の圧電素子磁石体を使う事で、発生した熱
電子を瞬間に磁気電気化する技術を組み合わせたシリコンと軽水素を使った高出力熱発電技術と軽水素と圧電素子磁石体を使った高出力電気電子増幅装置を組み合わせた新技
術の高出力圧電素子磁石体を使用した高出力圧電素子新技術と高出力銅筒官コイル配線の超軽量コイル配線と電気の通り易い軽水素トリチウム電子と圧電素子磁石体物質を、
使った高出力銅筒官コイル配線を、内蔵積載した高出力ＤＣブラシレスレールモーターで有り、ＤＣブラシレスモーターの先技術著作権優先権主張に基ずく先技術主張に成る。
特許性の濃い財産に成る。
優先権主張説明。
経済産業省の知的財産所有課に、2008年秋に提出した25作品の著作権の知的所有財産の書き上がっていた知的所有財産の著作権特許文章に成り、特許の未提出作品理由として、
国の全額借金返済活動を、知的所有財産の著作権文章を全世界の先技術優先権主張として、経済産業省の知的所有財産所有課に認めていただける用に本人が依頼し、特許庁長
官にも、国の全額借金返済の為の全世界の無料の特許提出依頼を行った時に提出した先技術の高出力モーター構造説明。
【００２０】
また、第8の課題解決手段として、パソコン回路の現在の一括一纏め方式は、修理の際、誰でも修理出来ない難点が有った為、パソコンの回路のマザーボード部分のサウスブリ
ッジ及びＳerialＡＴＡ(高出力裏表両面ＭＤハードデスク接続口)及びＢＩＯＳ(フラッシュメモリ)及びＩＤＥコネクタＵltraＡＴＡ。(ハードデスクやスパーマルチドライブ
接続口で有り、高出力ハードデスクの接続口)及びメモリスロット(メモリを挿入するスロットメモリーの種類によって、形状が異なり、省電気消費メモリＲＡＭが取りつく構
造)及びＰＣＩスロット(機能拡張補助差し込み口)及びノースブリッジ(放熱用ヒートシンクは、軽水素トリチウム電子入り圧電素子磁石体粒子内蔵シリコン熱発電シートパネ
ルとフロンガス内蔵固形窒素炭素放出防止プラスチックカバー内蔵アルミニュームヒートシンク構造)及びＰＣＩＥxpressスロット(機能拡張シリアル接続口)及びＣＰＵソケッ
ト(ハイスピードＣＰＵが取り付けられる場所)これらマザーボード回路基板は、パソコン回路分割アダプタボックスによって、区分けられている構造で有り、マザーボード回
路基板は、絶縁体粒子の炭素及び木材の灰の粉に固形窒素とでん粉のりで固めた冷却材を、マザーボード回路基板に接着した構造に成り、燃えずらい物質の冷却絶縁体が使用
する事に成り、マザーボードは、ボックス区分けされ、取り外し可能な部品に成り、故障個所部品名が、パソコン画面に表示され、設定携帯電話に、修理手順データーを、全
自動携帯電話送信する機能も、備わってる為、修理費の数万円を、払わなくて良いシステムに成り、低価格の特許切れ部品などが、携帯電話に全自動システムの携帯電話デー
ター全自動録画登録出来るシステムが、積載されている為、一度本考案のパソコンを、購入すると、故障個所を、全自動でパソコン画面通知として知らせる為、部品交換だけ
で、パソコンの買い替え無しの時代が、要約到来した事だと思います。
この他、衛星デジタルチューナボックス及びＴＶチューナボックス及びラジオチューナボックス及び無線チューナボックス及びカーナビゲイションデーターボックス及び全自
動ロボットデーターボックス及び地上デジタルチューナボックス等を、必要に応じて組み換え可能なパソコン回路分割アダプタボックスとして、組み換え可能な回路ボックス
に成る。
特許性の濃い財産に成る。
優先権主張説明。
特願2009ー271665号公報の二つ折り液晶パネルのパソコン回路のボックスパーツシステムの説明で有る。
【００２１】
また、第9の課題解決手段は、現在の充電池は、リチウム充電池と水素ニッケル充電池が、支流に成っている。
リチウム充電池は、コバルト使用の為、放射線廃棄物の為、放射線廃棄物を捨てる場所が、まだ決まって無い現状、最終的に、国民に最終処理の税金負担を、何らかの商品の
値段の形などから、払わせられる事が無い用に注意が必要に成る。
従って、水素ニッケル充電池等の現在のパソコン使用時間は、2〜3時間しか持たない為、自動充電池及び自動電池の用に、高出力ダイナモの全自動作動によって、連続発電出
来る装置が、現在のパソコンに絶対必要しされる現状で有る。
従って、軽水素ニッケル充電池の新技術は、急速充電可能だが、充電池の発想を根本的に180度切り替えて考えられたのが、発酵熱発電池で有り、発酵材は、竹材を粉にした物
と砂糖キビの茎を粉にした粒子と麹粒子と水成分から、重水を取り除いた軽水素水素水を水の代わりに発酵熱増幅材として、発電池にパネルに内蔵する事で、軽水素トリチウ
ム電子入り圧電素子磁石体電極棒または、電極板を内蔵させてた発酵熱発電池は、麹菌作用と糖分の発酵作用によって、連続発酵する間通常の水と異なる軽水素水は、発酵熱
を蓄え易く成り、軽水素トリチウム電子入り圧電素子磁石体粒子内蔵シリコン熱発電シートパネルによって、発酵熱を圧電素子磁石体粒子の軽水素トリチウム電子熱磁気変換
する事によって、ソーラーパネルの軽水素トリチウム電子入り圧電素子磁気粒子内蔵シリコンソーラーパネルと同じ電気量を、昼夜を通して発酵熱吸収発電出来る発酵熱発電
池で有る。
此の場合、発酵熱発電池の熱瞬間吸収率を上げる為、複数穴空き構造の軽水素トリチウム電子入り圧電素子磁石体粒子内蔵シリコン発酵熱瞬間吸収発電パネル装置を、発酵熱
発電池の内部に、複数重ねする事で、発酵熱の熱電子磁気回収率が、多く成る為、連続発電が可能だが、欠点として、2年〜3年が、発酵熱発電池の寿命と考えられる為、発酵
材の交換を、2年〜3年於きに発酵材交換をする必要が有る事で有る。
その他、リチウム充電池の放射線廃棄物処理問題などの心配は、一切いらないだけ安心で有るが、水素ニッケル充電池の場合は、充電時間が必要視される。
今後、自動電池及び自動充電池に積載する軽水素ニッケル充電池に高出力発電回路と圧電素子4電子磁気分割装置の急速充電装置によって、軽水素ニッケル充電池の連続充電可
能な複数の高出力発電回路を軽水素ニッケル充電池に積載内蔵する方法と発電回路内蔵の軽水素ニッケル充電池を自動電池及び自動充電池に内蔵する手段によって、電気消費
を、多くした多機能パソコンが、可能に成り、パソコンを逆に現在のパソコンより、厚めにした多機能パソコンとして、ライト付きパソコン及びロボットパソコン及び全自動
ロボットパソコンなどの小型連続発電池の誕生と特許性の有る発明によって、ロボット全自動電気製品の改良デザイン視野が、広がる事と、弱者貧困社会を優先的に守る一般
国民個人の知的財産優先権主張は、大企業無しの電気製品全体の製造販売を、都道府県市町村区と共同で充電の必要としない発電回路内蔵軽水素ニッケル充電池内蔵積載の自
動充電池及び自動電池積載によって、あらゆる電池を使用した新製品を、海外所得税を、一切払わなかった原子力海外売電事業の資本主義の日本国社会から、弱者貧困社会層
の自立を目指す為の、発酵熱発電池説明と発酵熱発電池に高出力発電回路と軽水素ニッケル充電池を取り付けたダブル発電充電池説明で有り、補助説明として自動充電池の簡
単な説明を付け加えて入る。
特許性の濃い財産に成る。
優先権主張説明。
特願2010ー82号公報の国の900兆円越えの借金全額返済の為の世界最新の公共事業対策特許文書説明。
【００２２】
また、第10の課題解決手段は、パソコンカードを、他社のカード読み取り機では、使用出来ないＥＭカード別名多情報カードは、多色順認識絵暗号式のカードとしている為、
他の人が、カードを盗んだり、拾ったりしても、情報がパソコンで読まれない用に自動ロック式として、カード内部配線に多色順認識絵暗号認識スイッチ回路が内蔵されてい
る為、ＥＭカードに、多色順認識絵暗号などを、パソコンを通じてカードロックを、外さない限り、カードデータは、他人に、漏れないカード第一構造で有り、二つ目として
多機能圧電素子メモチェック複数ＩＣは、他社では、通常磁気が、海外企業全体と日本企業全体が使用している磁気物質構造で有り、圧電素子磁気は、他社使用が無い磁気体
説明に成り、多層重ね圧電素子磁気シートに木材灰内蔵プラスチック絶縁シートと圧電素子磁石体シートを交互に重ねた複数重ね多機能圧電素子メモチェック複数重ねＩＣで
有り、第三番目のカード機能として、軽水素トリチウム電子入り圧電素子磁気粒子内蔵電気熱発電シリコンシートによって、カード熱を電気エネルギーに変える他社に無い技
術で有り、第四番目のカード機能として、カードの中に圧電素子粒子入りアルミニューム回路配線を使用しているのも特徴の一つで有り、カードカバーには、シリコンゴム防
水装置が使用されている。
この他、カードに、超小型充電池とソーラーパネルと高出力発電回路と電波送受信装置が、内蔵されている特殊機能のカードが、別途、古いパソコン対応機のカード使用の為
に、複数機能付きカードとして有る。
更に、ポイントカードを、複数の異なったチエーン店で使用出来る複数ＩＣを使った多機能カードも、弱者貧困社会自立用のカードとして、国の全額借金返済と都道府県市町
村区の借金全額返済用として、カード枚数の持ち運びを少なくしたカード先技術著作権として北海道庁著作権郵便物受理証明の確認を取っているカードも有る。
特許性の濃い財産に成る。
【００２３】
また、第11の課題解決手段は、電気熱発電出来る多層構造ICは、多層重ねICとも言う構造スタイルで、軽水素トリチウム電子入り圧電素子磁石体粒子内蔵電気熱発電シリコン
パネルシートとフロンガス入り固形窒素内蔵牧草灰入りビニール回路冷却絶縁シートによって、多層構造ICを保護している構造に成り、電気熱の集中する多層構造ICの配線部
分は、多層構造ICの真下に、金属突起物配線を取り付けた構造に成り、場所を取らないのが、リメットで有り、交換出来るだけでなく、大きめの多層構造ICと交換出来る構造
に成っている。
特許性の濃い財産に成る。
【００２４】
また、第12の課題解決手段は、電気熱発電出来て、電気中の電気熱抵抗を取り除く装置を内蔵したハイスピードＣＰＵは、ダイ複数ユニットに、デコーダ解説(命令の解読)及
び演算ユニット(命令の実行)及びレジスタ(記憶装置)及びバスインターフェース(命令の読み込み)及び2次キャッシュメモリ及び1次キャッシュメモリ及び(フェッチ[読み込み])
これら命令を処理する仕組みＣＰＵダイ内部で有り、ＣＰＵダイ内部は、冷却出来安い用に、凹凸開板構造の10の段差ＣＰＵ内部で有り、従って、ヒートスプレッダも10箇所
の凹凸ヒートスプレッダで有り、フロンガス入り固形窒素混合石灰合成加工板は、フロンガスと固形窒素と石灰合成加工板として、のりと水分で固めた冷却凹凸構造のヒート
スプレッダで有り、ＣＰＵのダイの冷却保護を、図ってる。
この他、ＣＰＵの裏面のコンデンサー部分には、軽水素トリチウム電子入り圧電素子磁石体粒子内蔵シリコン熱発電シートが、接着されている構造の為、ＣＰＵの熱は、軽水
素トリチウム電子とシリコンの熱瞬間吸収の熱を軽水素トリチウム電子化に変える技術で有り、更に、圧電素子磁石体粒子によって、熱電子を熱磁気電子磁極分割を、瞬間に、
圧電素子磁石体磁気粒子効果によって、ＣＰＵ熱を、瞬時に圧電素子磁石体粒子磁気電子電気に、分割して電気を専属の電気回収配線から、電気を得る事が出来る新技術の熱
発電シート装置で有る。
更に、ＣＰＵのコンデンサー部分には、圧電素子4電子磁気分割装置が、取り付けられている構造の為、ＣＰＵの電気は、電気中の熱抵抗電気を、取り除く為に、圧電素子4電
子磁気分割装置の二つの異成ったプラス圧電素子磁石体の磁気の一番プラス磁気の弱い部分から、通常プラス磁気を流して、通常プラス電気を圧電素子プラス磁気化に瞬時に
変えると同時に、圧電素子の磁気の弱い部分には、圧電素子磁気のプラス熱抵抗電気が集まり、リサイクル電気配線を通じてリサイクル電気熱プラス電気は、軽水素トリチウ
ム電子入り圧電素子磁石体粒子内蔵シリコン熱発電シート(パネルシート)によって、電気熱部分だけの発電を行う事が出来て、圧電素子4電子磁気分割装置のプラス磁気部分の
配線からは、電気熱抵抗の取り除いたプラス電気を、得る事が出来る装置で有る。
マイナス電気も、もう一つの圧電素子4電子磁気分割装置のマイナス磁気の弱い部分に設けられているマイナス磁気の配線から、通常マイナス電気を引き込み通常マイナス電気
は、マイナス圧電素子磁気化する為、マイナス圧電素子磁気の弱い部分には、熱抵抗マイナス電気が集まり、マイナス圧電素子磁石体の磁気の弱い部分に設けられたリサイク
ル配線からは、熱抵抗の圧電素子マイナス磁気電気をマイナス電気配線からマイナス熱磁気電気を回収できる事が出来ると同時に、マイナス磁気熱抵抗電気は、新技術の軽水
素トリチウム電子入り圧電素子磁石体粒子内蔵シリコン熱発電シートによって、マイナス磁気電子電気の熱抵抗電気の熱吸収発電を行って、マイナス磁気電気は、リサイクル
電気として再び二段階処理として、別の圧電素子4電子磁気分割装置によって、プラス磁気電気及びマイナス磁気電気のリサイクル電気活用に成る新技術の通常電気中の熱抵抗
電気を取り除く最新技術説明で有り、ＣＰＵには、組み込まれている最新式のハイスピードＣＰＵに成る。
特許性の濃い技術に成る。
【００２５】
また、第13の課題解決手段は、パソコンのボックス組立型のマザーボードの省電気消費メモリＲＡＭには、圧電素子4電子磁気分割装置によって、省電気消費メモリのＲＡＭに
通る通常電気中の熱抵抗電気を取り除く為、省電気消費メモリＲＡＭの電気消費を少なくして、読み込みスピードを上げる事が出来る。
更に、軽水素トリチウム電子入り圧電素子磁気粒子内蔵電気熱発電シリコンパネルシートによって、省電気消費メモリのＲＡＭの熱電気を、瞬時に熱磁気変換して、熱磁気電
子電気発電回収出来る新技術で有る。
従って、省電気消費メモリの上もしくは下に軽水素トリチウム電子入り圧電素子磁石体粒子内蔵電気熱発電シリコンパネルシートの取り付け構造に成る。
この他、省電気消費メモリＲＡＭを、数個重ねの、ブロック省電気消費メモリＲＡＭの複数重ね部分に、絶縁シートの木材灰入りビニール絶縁シートと軽水素トリチウム電子
入り圧電素子磁石体粒子内蔵電気熱発電シリコンパネルシートを内蔵して、省電気消費メモリの(ＲＡＭメモリ)の複数重ねコンパクト熱発電を可能にしている発電デザイン構
造のデザインタイプも有る。
特許性の濃い技術に成る。
【００２６】
また、第14の課題解決手段は、パソコンの情報を、多く入れる為の対策として、片面CDを止めて、DVDの二層レーザー書き込みを止める理由として、再生時間に通常モーターの
インバータ制御では、再生時間に手間取るからが事実で有り、再生スピードと切換えスピートを早くする為に、特許切れ海外技術のCD技術は、DVDの情報より、半分以下に成る
為、最近は、CD板を日本では、使用しなくなっていたのが現状で有る。
従って、特許切れ海外技術の、CDを二枚合わせにして、CDの二枚合わせ部分に、圧電素子磁気シート磁気情報書き込み型CDタイプとCDの二枚合わせフロンガス内蔵の固形窒素
炭素のプラスチック溶液シートカバーによって、フロンガスを空気中に放出しない為のカバー装置で有り、カバー装置には、ビニールカバー及びゴムカバー及び樹脂カバー及
びグラスファイバーカバー金属カバー等のフロンガスを空気中に漏れない対策をした冷却シートを、内蔵したＣＤタイプも先著作権新技術として有る。
更に、片面DVDの二層タイプデーター入力技術を超える為に、ＭＤの四隅に、複数圧電素子磁気シート重ねのデータ貯蓄磁気ブロックを、内蔵したＭＤに成り、今後パソコン積
載及びMD単独のホースＭＤ等によって、ダブルDVDの技術対抗として、データー入力が、ＤＶＤ以上の卵型空洞付きの表裏両面磁気プラスＭＤ装置で有る。
従って、両面ＭＤには、プラスデーター入力出力位置とマイナスデーター入力出力位置を備えた新技術ＭＤ装置で有る。
特許性の濃い技術に成る。
優先権主張説明。
2008年秋に、経済産業省の知的所有財産所有課に先技術著作権確認と、国の全額借金返済活動財産の全世界の無料提出の依頼に書き上がっていた著作権特許文書図。
【００２７】
また、第15の課題解決手段は、パソコンの映像波回路に内蔵積載する映像波ノイズ取り除き装置として、圧電素子磁石体を、圧電素子磁石体シートとチタン酸バリウムシート
に軽水素トリチウム電子とネオンガスを混合したチタン酸バリウム入り軽水素ネオンガス内蔵型シートを交互に貼り合わせた特殊高出力圧電素子の映像波ノイズ取り除き装置
に成る。
映像波ノイズ取り除き装置全体を、新技術の軽水素トリチウム電子入り圧電素子磁石体粒子内蔵シリコン熱発電パネルシートを被せたプラス映像波は、特殊高出力圧電素子の
プラス磁気の弱い部分から、強い部分に流す方式を採用している。
更に、マイナス映像波は、マイナス特殊高出力圧電素子磁石体のマイナス磁気の弱い部分から、マイナス磁気の強い部分に流す事で、映像波のノイズを取り除く事が出来る。
そして、プラス映像波を、特殊圧電素子磁石体のプラス磁気の一番強い部分から、圧電素子のプラス磁気の弱い部分に流して、プラス映像波を取り出す技術説明に対して、プ
ラス映像波を、特殊圧電素子磁石体のプラス磁気の強い部分からプラス磁気の弱い部分に流す方法と反対の圧電素子のプラス磁気の弱い部分から、圧電素子のプラス磁気の一
番強い部分に流す事でも、同じに成る理由として、プラスノイズで乱れた映像波を、圧電素子磁石体のプラス磁気に乱れたプラス電波ノイズを通す事で磁界線を通す事で、乱
れた映像波波が、整流波になるのは、磁界線整流波に磁気力の磁界線力によって、乱れたノイズ映像波を、通常映像波に直す事が、出来る理由で有り、マイナスノイズ映像波
波は、特殊圧電素子磁石体のマイナス磁気に通す事で、整流マイナス映像波に成る。
従って、軽水素トリチウム電子入りネオンガスは、軽水素トリチウム電子効果とネオンガス微粒子電子効果によって、ノイズ映像波を、カメラ撮影時と同じ画像までに出来る
事に成る。
特許性の濃い技術に成る。
優先権主張説明。
2008年秋に経済産業省の知的所有財産所有課に墫野和夫が国の全額借金返済活動と都道府県市町村区の全額借金返済活動の為に、全世界の無料の特許提出を依頼したが、経済
産業省と特許庁は、一切聞き入れしなかったが、大学の論文成らば、先技術として、認める特許庁の人権を無視した特許法の書き方と国の全額無料返済対して、全世界の特許
提出を、2000年頃の大学では、無料の特許提出で有った事実に対して、実際は、個人の資産作りで有って、現在の大学の個人の資産作りに対して、特許庁は、半額の援助を決
めているが、実際に、個人の特許権資産と先著作権としかならない事実で有っても、実際に国の全額借金返済活動と都道府県市町村区の全額返済活動に対して、不思議と経済
産業省と特許庁は、認めないのが現状で有る。
更に、内閣府に、直に経済産業省と特許庁の苦情説明に、直接墫野和夫が、逢いに行くが、玄関前で入館拒否に成り、ハガキなどを、出しても、良い回答を書いて返さないの
も現状で有る。
優先権主張の報道局の対応の現状
朝日テレビ局に2001年頃から数十件著作権先技術文書図を、北海道道庁の北海道知事宛てと東京の共産党党首宛てと民主党党首宛てに、国の全額借金返済の為に、この当時、
特許書き依頼しても、朝日テレビ局も、回答無し、共産党も回答無し、民主党も回答無し、北海道知事が、著作権文書図の郵便物受理書を出してくれたのが、現状で有る。
ＮＨＫの札幌局では、内容に応じて、テレビ出演可能の回答で有った。
【００２８】
また、第16の課題解決手段は、パソコンの映像波回路に内蔵する映像波のゴースト取り除き装は、圧電素子磁石体を、圧電素子磁石体パネルシートを複数枚に複数針穴構造の
チタン酸バリウムシートに軽水素トリチウム電子とアルゴンガスを混合した複数針穴形状シートを、交互に貼り合わせた特殊圧電素子のゴースト取り除き装置は、ゴースト有
りプラス映像波を、特殊圧電素子の軽水素とアルゴン内蔵のプラス特殊ゴースト取り除き圧電素子の磁気の弱い部分から特殊ゴースト取り除き圧電素子磁石体の磁気の強い部
分の磁界線方向へ、プラスゴースト電波を流す事で、磁界線効果によって、乱れた電波を修復して、磁界線に沿って修復された電波を流し、軽水素トリチウム電子効果とアル
ゴン映像ガス効果によって、超微細なゴースト画像を鮮明にする効果によって、マイナスゴースト映像波も特殊圧電素子マイナスゴースト取り除き装置によって、マイナスゴ
ースト映像波のゴーストをプラスゴースト映像波とマイナスゴースト映像波別々に特殊圧電素子ゴースト取り除き装置のプラスゴースト取り除き装置とマイナスゴースト取り
除き装置によって、映像は波のゴーストを取り除く事に成る。
特許性の濃い技術に成る。
しかしながら、ゴースト画像の原因として、電波キャッチ問題と電波周波数が近すぎる場合、マグマ磁波の影響で起こる現象で有り、最初から、マグマ磁波対策の為のゴース
ト取り除き装置か、アンテナ配線を、圧電素子磁石体粒子を平均の厚さでカバーした外部からの乱れたマグマ磁波電波を入れない構造にしたアンテナ配線が、望ましいが現在
でも、マグマ磁波対策のテレビアンテナ配線は、製造販売されていないのも現状で有り、特許性の有る電波配線で有る。
この他、テレビ本体プラスチックを、圧電素子磁石体粒子を、テレビプラスチックパネルにシート重ね状に内蔵した構造によって、マグマ磁波電波絶縁体構造を、マグマ磁波
電波の全自動修復パネル内蔵テレビとしての特許性の構造が考えられる。
この他、家の床及び外壁が、磁波の影響を受けない用に、マグマ磁波修正シートを貼った建築物にする事で、磁波でテレビ波及びラジオ波で、困ってる家の電波対策方法で有
り、特許性の有る対策案でも有る。
最後の対策として、ケーブルテレビ以外映像ゴーストを取り除く対策が、現在の時点ではお金がかかり過ぎる問題点も抱えて入る。
優先権主張説明。
2008年秋に経済産業省と、特許庁長官宛てに国の全額借金返済の為と都道府県市町村区の全額借金返済の為に先技術著作権の知的所有財産の文書図に成る。
【００２９】
また、第17の課題解決手段は、パソコンモーター電気消費量を減らす事とパソコンのモーター電気熱を減らす事とパソコンのモーター制御を、細かく行う事との構造説明とし
て、ＤＣブラシレスモーターの人工合成永久磁石体は、軽水素トリチウム電子を混合合成した圧電素子磁石体パネルシートと複数針穴形状のチタン酸バリウムシートに、軽水
素トリチウム電子を質量一杯入るだけ、混合合成した軽水素内蔵チタン酸バリウム複数針穴形状シートと軽水素トリチウム電子混合合成の圧電素子磁石体シートを交互に重ね
て固めた人工合成永久圧電素子磁石体と人工合成永久磁石体に新技術の特許提出モーターコイルとして、銅筒官コイル配線は、銅コイル配線を銅筒官状にした銅筒官配線に軽
水素トリチウム電子と圧電素子磁石体粒子を、混合合成した電気の通り易い物質だけを銅筒官配線に内蔵したコイル配線を、人工合成永久磁石体に巻いた高出力電磁石を、絶
縁体を使用内蔵した高出力ＤＣブラシレスレールモーターで有る。
従って、人工合成永久磁石を、32個以上と32枚以上の新技術の木材灰入りグラスファイバー絶縁体とを円形状に組み合わせた高出力ＤＣブラシレスモーターの回転部分と32個
以上の高出力電磁石と32枚以上の木材灰入りグラスファイバー絶縁体を円形状に二重円形配列したインバータ制御装置を32個以上配置した超薄型軽量の高出力ＤＣブラシレス
モーターで有る。
高出力ＤＣブラシレスレールインバータ制御モーターが、DCブラシレスモーターより、電気消費が少ない理由説明。
まず、高出力ＤＣブラシレスレールインバータ制御モーターのモーターコイルが、通常の銅コイル配線より、軽量な事実として、銅筒官状の銅コイルに内蔵する物質が、銅の
重みより軽い軽水素トリチウム電子材と圧電素子磁石体粒子物質で、銅筒官コイルに内蔵した銅筒官配線が、通常コイル配線より軽量な事が事実な事。
次に、銅筒官コイル配線に内蔵する軽水素トリチウム電子と電子を作れる圧電素子磁石体粒子は、電気と同じ質量物質と考える事が出来る為、世界最高特許権技術の慶応大学
の超電導配線物質のケイ素及びヨウ素は、軽水素トリチウム電子混合の圧電素子磁石体と比較するとケイ素及びヨウ素は、軽水素トリチウム電子混合の圧電素子磁石体より、
電気通りが悪い物質に成り、軽水素トリチウム電子混合の圧電素子磁石体物質は、電気抵抗物質が、軽水素トリチウム電子入りの圧電素子磁石体にした為、電気抵抗物質が、
ゼロの電気配線として、軽水素トリチウム電子混合の圧電素子磁石体粒子内蔵の銅筒官コイル配線は、電気の通り易い配線として、超電導配線と異なる説明の構造配線として、
電気中の抵抗電気を取り除く配線が、超電導配線に成り、通常電気を抵抗無く通す電気配線を銅筒官配線説明に成る。
更に、通常電気中の熱抵抗電気のみを取り除く装置として、圧電素子4電子磁気分割装置によって、通常電気中の熱抵抗電気を取り除き、電気抵抗無の電気と熱抵抗電気は、熱
を圧電素子磁気変換して軽水素トリチウム電子入りシリコン熱吸収発電パネルシートによって、熱電気のリサイクル電気活用出来る新技術も有る。
更に、高出力ＤＣブラシレスレールインバータ制御モーターは、軽水素トリチウム電子入り圧電素子磁石体の人工合成永久磁石は、モーター回転など振動によって、円形形状
人工合成永久磁石の滑落破壊防止の為に、複数針穴形状のステンレス超薄磁石板を人工合成永久磁石に被せた構造と高出力電磁石に、複数針穴形状のステンレス超薄型磁石板
を高出力電磁石に被せたタイプを、高出力ＤＣブラシレスレールインバータ制御モーター構造としている。
その為、高出力ＤＣブラシレスレールインバータ制御モーターは、軽量の銅コイル配線と軽量の軽水素トリチウム電子入り圧電素子磁石体を使った超軽量の磁石体と高出力磁
石体の一部には、最新技術の熱瞬間吸収発電の軽水素トリチウム電子入り圧電素子磁石体粒子内蔵のシリコン熱瞬間吸収発電パネルシートを、高出力ＤＣブラシレスレールイ
ンバータ制御モーターは、モーターが発生するコイル熱を、瞬間に熱磁気電子電気変換する技術を積載している為、更に電気消費が少なく成る。
最終的に、圧電素子4電子磁気分割装置を、モーター電気配線にそれぞれ取り付ける事で、電気中の熱抵抗電気を取り除いた電気だけで、回転する高出力ＤＣブラシレスレール
インバータ制御モーターは、本田技研工業と特許庁の主張するＤＣブラシレスインバータ制御モーターの電気消費より、高出力ＤＣブラシレスレールインバータ制御モーター
の方が、電気消費が、遥かに少なく成るのは言うまでもく、モーター構造説明だけで明白で有る。
優先権主張説明。
特願2006ー140535号公報の先技術著作権説明のＤＣブラシレスモーター(墫野和夫のモーター名として、レールモーター)
第2優先権主張説明。
2008年秋に、経済産業省の知的所有財産課と特許庁の特許庁長官に、国の全額借金返済活動と都道府県市町村区の全額借金返済の為の25件近くの先技術著作権説明の内容文書
図に書かれて入る。
【００３０】
また、第18の課題解決手段として、パソコンのハードデスクに使用される裏表両面卵型空洞磁気MDの場合、上部赤外線レーザーと下部赤外線レーザー装置は、高出力モーター
移動型とハードデスク面とパソコン本体のハードデスクの上部に固定するタイプの二種類の新技術が有る。
従って、ハードデスクは、従来のハードデスク円盤全体が、回転する方式から、ＭＤ特徴のハードデスクのＭＤの中心部分のＣＤ接続部分は、超小型ローラー材が内蔵に成っ
てる為、ＭＤのモーター回転対応に成って入る。
この他、磁気反発タイプは、ＭＤに悪影響が有る為、磁気反発タイプは、ＭＤ中央部には、磁気絶縁体壁と電磁誘導発電構造と磁気吸収体の軽水素トリチウム電子入り圧電素
子磁石体に成る構造に成る。
この他、磁気ヘッドは、下部磁気ヘッドは、高出力モータによって、上下下部全自動移動が出来る構造に成り、上部磁気ヘッドは、左右上下全自動移動出来るハードデスクの
磁気ヘッド読み込み構造に成り、片面磁気デスクと異成る両面を、一度に読み込み書き込み可能な磁気デスクに成る。
此の場合、ＣＤ形状磁気デスク板は、裏表両面構造に成る。
優先権主張説明。
2008年秋に、経済産業省の知的所有財産課と特許庁の特許庁長官に国の全額借金返済活動と都道府県市町村区の全額返済活動の為の25件近くの先技術著作権説明の内容の文書
図に書かれて入る。
【００３１】
また、第19の課題解決手段として、パソコンの文書データーの呼び出しは、文章の先頭部分が、表示されるタイプで有り、文章のページ部分を、キーボード書き込み無しのワ
ンタッチ液晶画面操作で、文章のもくじ項目が、パソコン画面状に3列以上で、明記され、左右の連続移動によって、ページ数の多い場合は、目次項目移動スピード調整ボタン
によって、多いページ数のワンタッチページ項目画面呼び出しが可能に成り、パソコン上の逸早い操作を可能にする為の、パソコンのタッチ画面の左右目次移動タッチ装置画
面の説明で有る。
この他、ページ数呼び出しカウンターと行数を、指定すると全自動で、行数まで呼び出せる液晶画面タッチ捜査説明に成り、指定目次を認識させる事によって、指定された目
次が、パソコン上に明記される構造に成っている。
現在のパソコンでは、一度ウインドウズを、終了すると次に捜査すると、文章の先端が、液晶画面表記される構造に成っているだけのパソコン構造で有り、ページ数のワンタ
ッチ呼び出しは、現在存在しない。
従って、ウインドーズとアップルは、海外企業財産権の為、新たに日本文章のみの小型カードアダプタボックス構造に成り、アダプタボックスのデータボックスには、パソコ
ン機能を、追加する為の複数カードアダプタボックスが、積載内臓する事で、発電タッチパソコンのみの技術に成る。
【００３２】
また、第20の課題解決手段として、発酵熱発電池は、乾燥竹粒子と麹菌とスイトコン粒子(レントコン粒子及び砂糖キビ粒子)入り軽水素酸素水内蔵発酵パネルの発酵説明で有
る。
新技術の発酵熱は、通常は、通常の水が使用されるが、発酵熱温度を上げる為、重水素の取り除いた水素として、軽水素を使った軽水素酸素水は、沸騰時間が、通常の水より
速く、被爆者の休息飲料水には、効果が有ると言える軽水素酸素水は、水発電機の最新型の水の変わりに、軽水素酸素水を使用する事で、真空装置を使った軽水素酸素水の気
化時間は、幾分短く出来る技術で有り、この他、沸騰水連続制御高出力ダイナモ発電装置にも、通常の水を使用していたが、軽水素酸素水を使用する事で、沸騰時間を速める
事で、電気消費を少なくする効果が有り、陽電子陰電子スパーク発電装置にも、水素と酸素及び水を使用しているのも特徴の一つで有るが、軽水素酸素水を使用する事で、
発電量を上げる効果が有り、この様に、通常の水を使った発酵システムは、酒製造業及び農業を経験している者ならば、理解出来る分野で有り、麹粒子の麹菌発酵と砂糖キビ
粒子発酵のダブル発酵に成り、この他、牧草枯草のアンモニア発酵などが有り、今回は、軽水素酸素水を使った麹粒子の麹菌発酵と砂糖キビ粒子発酵のダブル発酵を発酵熱溜
まりを多くする効果が有る軽水素酸素水を内蔵積載使用した装置で有る。
発酵熱発電池の発電量を多く回収する為の説明。
発酵熱回収には、発酵材と多く熱回収装置が、接触しなければならない為、軽水素トリチウム電子入り圧電素子磁石体粒子内蔵シリコン熱瞬間吸収パネルは、複数穴空きのブ
ロック構造にしたプラス電極配線とマイナス電極配線を発酵熱発電池の電極ブロック構造とした発酵熱発電池で有る。
その他の構造として、発酵材は、発酵ガスを放出する為、スプリング発酵熱発電池の圧力明示弁と圧力調節弁を、複数設けた構造に成る。
更に、発酵熱絶縁体真空二重構造は、発酵熱充電池が、ガス膨張しても、大丈夫な強化ゴムプラスチックを使った発酵熱発電池で有り、発酵熱瞬間吸収率を高める為に、軽水
素トリチウム電子入り圧電素子磁石体粒子内蔵シリコン熱発電パネルを、発酵熱発電池の電極ブロックカバーとして、取り付けた二重カバーに成り、外側は場合によって、冷
却パネルシートのフロンガス内蔵窒素炭素化合ブロックの固形窒素粒子内蔵ビニールシートカバーで、フロンガスの空気中放出を避けた構造に成ってる。
この他、別途説明として、麹発酵時間と砂糖キビ発酵時間は、アンモニア堆肥発酵時間より、短い為、竹粒子と木材チップ粒子発酵材に、微量の麹粒子発酵材と微量の砂糖キ
ビ粒子発酵材を混合合成したチップ熱発酵熱発電池及び家畜馬糞発酵熱発電池が考えられる。
以上の事によって、2年ないし3年の発酵熱時間の発酵熱発電池が可能に成り、2年〜3年発酵熱発電池の交換をしなくても良く成る。
更に、2年〜3年の発酵熱発電池使用後は、家庭菜園の肥料として使用出来て、発酵熱発電池の容器を、洗って発酵材粒子と軽水素酸素水を新たに入れて時間を置くと再び発酵
熱発電池が、再利用出来る自然に優しいリサイクルを身に付けた発酵熱発電池で有る。
現在、良く使用されるリチウム充電池は、水に含まれているプルトニューム量を超えるコバルトプルトニュームが、検出される為、再利用として、電気会社の所有する原子力
以外にプルトニューム再利用施設を、現在では、国の財産を一切使わないで、廃棄物処理しなければならないのも現状で有る。
但し、水素ニッケルは、余り害が無い為、安全な充電池に成る。
優先権主張説明。
特願2010ー82号公報の国の900兆円越えの借金全額返済の為の、世界最新の公共事業対策。
【００３３】
また、第21の課題解決手段として、ウイルス防御カードは、特定の16以上の会社又は個人だけと、インターネット通信する手段の方法として、16局以上対応絶縁分割アンテナ
によって、16局それぞれの分割絵文字数字の50桁〜1000000桁までの数字混合インターネット送受信装置は、ウイルス防御カードの16組数の数に対して互いの送受信を、可能に
する為の、ウイルス防御カード内蔵の絵文字と数字の組み合わせの50桁〜1000000桁までの絵文字と数字の混合送受信番号で有り、ナット型取り換え軽水素トリチウム電子入り
圧電素子金属粒子アンテナは、この他、大きいウイルス防御アンテナでは、1億人から数百億人対応のウイルス防御アンテナで有る。
ウイルス防御カードアンテナの特徴説明
従って、第1インターネット番号照合装置に始まり、プリントカメら磁気手相は、アンテナ送受信本数の数だけの手相データーが、予めウイルス防御カードデータとして内蔵登
録して有る他社に無い認識手段で有り、ウイルス防御カードを持った者同士のインターネットの接続手段に使われ、写真カメラ被写体パソコンカメラ輪郭形状確認装置は、ウ
イルス防御カードに内蔵設置して、顔の輪郭データ照合及び顔の目の位置データー照合及び顔の鼻の位置データー照合及び顔の口の位置データ照合及び顔のまつ毛の位置デー
タ照合及び顔の耳の位置データ照合及び顔の髪の毛の太さデータ照合によって、データの相違確認を図る目的によって実施される。
更に、第2暗号確認認識装置は、ウイルス防御カード内のストックデータ暗号の相違チェックを行うシステムで有り、次に目的確認認証装置は、インターネットの目的を予め
ウイルス防御カード内に内蔵積載して有り、指定ストックデータ以上の言葉を入力するとインターネット接続成らないシステムに成って入るウイルス防御カードの目的確認認
証システムで有り、更に、送信元を、確認する事で、不正アクセス者等の位置を確認する為、超小型のＧＰＳ地図によって、発信元の位置確認する事によってインターネット
不正アクセス者を早めに捕まえたり、不正アクセスを防止する為の、位置確認位置連絡装置。
更に、第3暗号装置を経て、会社名及び個人名の確認をしてから、予め、テレビ電話等で、パス暗号を取り決めて有るパス暗号を入力して、認識してから、インターネット接続
に成る、他人及び他社に絶対にインターネットを通じて、データー漏れを起こさない為の装置で有り、設定しているウイルス防御カードの設定者からのメッセージ伝言は、イ
ンターネットデータ貯蓄カードジャック口から、パソコン本体のインターネットデータ貯蓄カードにデーター貯蓄出来る。
この他、不正アクセス者は、ウイルス防御カード内のダミー回路へ導かれ、不正者の発信元確認などを経て、専門業者に連絡する事に成るシステム。
最後に、ウイルス防御カードアンテナを使う場合、第2携帯アンテナと第2インターネットアンテナの受信回路と送信回路が、全自動遮断され、ウイルス防御カードだけが、全
自動作動して、指定した表裏両面ホース磁気カード内蔵卵型空洞ＭＤだけの入出力作動に成り、作業終了後、指定した表裏両面ホース磁気カード内蔵卵型空洞ＭＤを抜き取る
だけで、パソコン自体が、パソコンを買った時と同じ状態に成る為、ウイルス防御アンテナカードには、パソコン情報を、代理するシステムも、内蔵に成って入る。
【００３４】
また、第22の課題解決手段として、携帯アンテナとインターネットアンテナの送受信率を上げる為、パソコンの高出力軽水素トリチウム電子入り圧電素子磁石体粒子内蔵シリ
コン熱光瞬間吸収発電装置の淵に沿って、軽水素トリチウム電子入り圧電素子磁石体アンテナによって、電波送受信の悪い場所の対応を図っている装置。
優先権主張説明。
特願2009ー271665号公報の文書図。
【００３５】
また、第23の課題解決手段として、従来のパソコンの電気不足対策として、高出力発電回路の場合は、複数針穴空きチタン酸バリウム軽水素トリチウム電子内蔵パネルシート
と、軽水素トリチウム電子入り圧電素子磁石体パネルシートを交互に複数重ねする事によって、高出力人工合成永久圧電素子磁石体が出来上がり、電子ライターの原理で、圧
電効果実験をすると、通常圧電素子磁石体の圧電効果より、電子作成量が、高出力人工合成圧電素子永久磁石体のほうが、多く電子を作り出せる理由として、圧電素子磁石体
の磁気体の中に、多くの軽水素トリチウム電子を内蔵する技術に掛っている。
この他、圧電素子磁石体に軽水素を多く内蔵する手段として、チタン酸バリウムシートを、針穴形状にして、軽水素トリチウム電子をなるべく多く混合構成する技術と圧電素
子磁石体粒子に軽水素トリチウム電子を混合合成した軽水素トリチウム電子入り圧電素子磁石体パネルシートを、交互に重ねるシート貼り合わせ技術によって、圧電素子磁石
体の圧電効果が、更に能力アップした事によって、高出力発電回路技術は、プラス高出力発電回路とマイナス高出力発電回路の二つに分ける事が出来る事に成る。
従って、プラス発電回路のプラス磁気の一番強い部分に、高圧プラス電気を流すと、圧電効果に伴う軽水素トリチウム電子効果によって、高圧電気に軽水素トリチウム磁気電
子結合して、高出力プラス発電回路の磁気の強い部分から磁気の弱い部分に設置して有る、銅板電子誘導配線から、高出力プラス発電回路の増幅プラス高圧電気を得る事が出
来る。
理由説明
高出力プラス発電回路の磁気の一番強い部分から高圧プラス電気を通すと、高圧プラス電気が、高出力プラス発電回路に通った時点で、高圧プラス電気は、高圧磁気プラス電
気に成り、高出力プラス発電回路内の軽水素トリチウムプラス電子と結合して、高出力プラス発電回路の磁気の弱い部分に設置した増幅電気回収銅板配線から、圧電素子の圧
電効果によって、高圧プラス電気が、高出力プラス発電回路の磁気の強い部分に、高圧プラス電気が入った時点で、高圧プラス電気は、高圧プラス電気の圧電素子のプラス磁
気化に瞬時に成り、高出力プラス発電回路のプラス磁気内蔵の複数層の軽水素トリチウム電子入りチタン酸バリウムシートの軽水素トリチウム電子のプラス電子と高圧プラス
電子が結合し、更に、もう一層の軽水素トリチウム電子入りの圧電素子磁石体パネルシートに内蔵されているプラス電子と更に、高圧プラス電気が結合して、高圧電子圧電効
果として、高出力プラス発電回路のプラス磁気の弱い部分に内蔵設置して有る増幅発電の引き込み銅板配線から、増幅プラス電気を得る事の出来る簡単な圧電素子磁石体を使
った高出力プラス発電回路の増幅電気の作りかた説明で有る。
従って、高出力マイナス発電回路を使って、高圧マイナス電気を、高出力マイナス発電回路の磁気の強い部分から、磁気の一番弱いマイナス磁気部分に内蔵設置した増幅電気
引き込み銅板配線からは、高圧マイナス増幅電気を得る事が出来る装置に成り、高圧電気を通常電気に下げて行くと、高出力発電回路の発電量が減る事に成る。
高出力発電回路を、発電タッチパソコンに複数設置する事で、発酵熱発電池の循環発電により、予備充電池などを、パソコンの外に設置する事で、他の機器の充電装置に成り、
他の装置の電源元としても、使用出来る事に成り、ラジオ電源及び簡易増幅発電型の高出力ＬＥＤライトの電気に使用する事も出来て、パソコンの、カメラに、人と物体認識
装置を、取り付ける事で、防犯パソコンとして、使用出来る事に成り、他社に無い新技術に成り、携帯電話全自動連絡システムとして使用される事に成る。
優先権主張説明。
特願2010ー82号公報の国の900兆円越えの借金全額返済の為の、世界最新の公共事業対策の文書図内要に書かれて入る。
【００３６】
また、第24の課題解決手段として、従来の液晶は、バックライト無では、映像が暗い欠点によって、バックライト蛍光管が、使われいたが、最近バックライトの玉切れ防止か
ら、ＬＥＤの弱い光を、増幅する特許権技術を使ったＬＥＤバックライトテレビが支流に成ってる為、ＬＥＤの特許権使用料を、支払ってでも作る日本企業が、目立ってる。
従って、ＬＥＤバックライト及び特許切れのバックライト技術を使用しない液晶テレビは、安い著作権料金で、日本国のシャープ以外の海外液晶部品商品の国際契約が、可能
に成り、超低価格のバックライト無し液晶画像パネル説明に入る。
そして、軽水素トリチウム電子入りシリコン網シート内蔵プラスチック2枚合わせ光熱発電ガラスに、軽水素入りアルゴンシリコン光熱発電網シートと軽水素入り液晶網シート
を、複数重ねする事で、軽水素入りアルゴンシリコン光熱発電網シートの裏側の映像波の光を反射板として、利用する事で、軽水素トリチウム電子入り夜光材合成圧電素子磁
石体粒子内蔵シリコン画像画面光熱発電パネルシートを通り抜ける光は、複数針穴空き軽水素入り夜行反射板を取り付け最後に電気熱発電シート付き金属反射板を構造とした
バックライト無しの電気熱発電の半液晶パネル説明に成る。
構造の部分説明
軽水素入りアルゴンシリコン光熱発電網シートは、複数の枡目状のテレビパネル及びパソコン画像パネルに対して、交互に複数の枡目状の軽水素入り液晶網シートを重ねた映
像パネルに映像波を流す方法で有り、軽水素入りアルゴンシリコン光熱発電網は、軽水素トリチウム電子シリコンに、アルゴンガスを混合合成した光熱発電網に、映像波を流
す事で、軽水素トリチウム電子とアルゴンガス効果によって、シリコン画像に成り、シリコン画像光熱は、軽水素トリチウム電子入りアルゴン入りシリコンによって、光熱発
電が出来る事に成る。
更に、交互に枡目液晶は、軽水素トリチウム電子を入れる事で、液晶の作動を早くする事が出来る為、少ない電圧で、画像切換え可能に成り、軽水素入りアルゴンシリコン光
熱発電網シートの裏面の発光した、光を枡目液晶に通す事で、枡目の軽水素液晶に映像画像を通すシステムで有り、超薄偏光板も、枡目構造に成り、超薄クリスタルガラス基
板と超薄配向膜と超薄カラーフイルターによって、超薄型のバックライト無しの軽水素入りアルゴンシリコン光熱発電網シートの光反射型液晶にする事で、電気消費を、有機
ＥＬタイプのテレビ画像の電気消費を、半分にしていると言える。
此の他、複数針穴空き軽水素入り夜光反射板は、液体マグネシウムと夜光材と軽水素トリチウム電子を混合した樹脂レンズの代わりにした夜光反射板タイプとダイオートに軽
水素トリチウム電子入り夜光材を入れた合成夜光材に、電子を流す方法として、軽水素トリチウム電子入りの圧電素子磁石体を使った発電回路によって、増幅電子を、軽水素
トリチウム電子入りの夜光材に電気を通す事で、軽水素ダイオードの夜行電子反射光を得る事の出来る装置を使った液晶バックライト代換え光装置説明に成る。
最後に複数針穴空き軽水素入り夜光反射板を使用しないで、電気熱発電シート付き金属反射板を積載使用したバックライト無しの半液晶画像パネル説明に成り、画像画面の裏
側に発電回路に熱瞬間吸収発電シートを発電回路に巻く方法と半液晶画面の空いてる部分に高出力発電回路を内蔵指せる方法手段が有る。
優先権主張説明
半分液晶で、有機ＥＬ等の反射光を液晶のバックライト活用例は無い
。
更に、有機ＥＬ等の画面は、液晶画面と異なる構造の為、有機ＥＬタッチパネルが、出来る用にするには、超薄枡目に、有機ＥＬ画面を仕切り、枡目枠一つ一つに超小型電波
発信装置と電波受信装置を取り付けた有機ＥＬ画像パネルが、考えられる。
此の他、有機ＥＬパネルの先に電気熱発電シートと分割配向膜によって、有機ＥＬ画面位置認識を、弱電子放出の遮断キーの他、パソコン内蔵のライトカメラによって、パソ
コン画面キー位置の、認識によって、電波遮断認識する方法などが考えられる。
【００３７】
また、25の課題解決手段として、高速回路では、慶応大学などの超電導配線が、知られているが、外部電気配線取り入れ口と発酵熱発電池の電気取り入れ口とデザイン多色型
軽水素トリチウム電子入りソーラーパネルシートの電気取り入れ口に、それぞれ、通常電気中の熱抵抗電気を、取り除く装置を取り付ける事に、よって、電気中の熱抵抗電気
を取り除く事によって、電気スピードを上げる構造にしている装置で有る事。
第2に、外部取り込み電気コードを、何拾年振りに変える技術として、銅筒官コイル配線を使って軽水素トリチウム電子効果と圧電素子磁石体効果で、電気スピードを上げる事
が、出来る構造に成っておる。
次に、ＡＣアダプタには、圧電素子4電子磁気分割装置によって、通常電気中の熱抵抗電気が取り除けれる装置が内蔵に成っており、熱電気は、新技術の、軽水素トリチウム電
子入り圧電素子磁石体粒子内蔵電気熱発電シリコンパネルシートによって、熱抵抗電気の新しい熱電気変換を行える装置で有り、木材灰入り石灰綿シート絶縁体によって、熱
の放熱出火を避けている構造で有る。
更に、送信スピードを上げる為に、電圧を、一時的に上げる為、電気熱発電コンデンサーと高出力電磁石と別の高出力銅筒官配線として、軽水素トリチウム電子にゴムを混合
合成したした配線もしくは、電気の通るプラスチックに軽水素トリチウム電子を入れる事で、電気は、軽水素トリチウム電子を通じて流れる為、銅配線より、流れが良いが軽
水素トリチウム電子入り圧電素子磁石体より、電気スピードが落ちる。
従って、液体物質に、軽水素トリチウム電子を、混合内臓した電気配線は、銅配線より、コストを下げる事が出来て、外部に固形窒素ゴム及び固形窒素プラスチックで、カバ
ーしたプラスとマイナス別々の地下ケーブル配線は、コスト的に安くなる電気配線にも成る。
従って、この配線が、大量に作られる事に成ると、鉄鋼場施設で、銅配線を作らなくて良く成り、プラスチックとゴムが、需要が増え高騰する為、必ずニュースに成り、銅の
取引値段が下がる。
此の場合、軽水素トリチウム電子に混合する物質を、炭素及び木材灰及び土及び粘土及びこのような他の固形物質粒子に、粘土を混合合成した物に、軽水素トリチウム電子ま
たは水素を混合合成した配線は、軽水素トリチウム電子より、水素の方が、プルトニュームの入ってる分が、熱抵抗電子に成り、軽水素トリチウム電子の方が、電気配線素材
に優れた素材で有り、曲がる配線を考える場合、電気の通るプラスチック粘土が、一番良い材料で有り、軽水素混合配線と使用する場合、石灰綿などの燃え無い物質を、軽水
素トリチウム電子入りの電気の通るプラスチック粘土配線によって、更に、安い電気配線を目指すが、電気の通るプラスチックは、日本のノーベル賞作家の特許技術の為、契
約成立の場合のみが、この世の中に作品として出る事が叶う。
電配線説明の次の高出力電磁石説明
先に、何度も説明した用に、電磁石は、コイルを新技術の銅筒官配線の軽水素トリチウム電子入りの銅筒官コイル配線を銅筒官に入れたコイル配線を言う。
そして、鉄板の代わりに、軽水素トリチウム電子入り、圧電素子磁石体パネルシートと複数針穴構造の軽水素トリチウム電子入り、チタン酸バリウムシートを交互に貼り合わ
せた電磁石板の別名高出力圧電素子磁石体を使った高出力電磁石で有る。
電気スピードをそのままにして、電圧を下げる方法の説明
従って、プラス高圧電気とマイナス高圧電気を、それぞれ、人工ダイヤカット板に、銅線を割り込む用に人工ダイヤ刃を貼り付け、軽水素トリチウム電子入りチタン酸バリウ
ムプラスチック溶液によって電気誘導箇所を作り、絶縁石内蔵ゴムによって、分割電気融合を避けた装置だが、一度に4分割人工ダイヤ配線と6分割人工ダイヤ配線などが有り、
8分割人工ダイヤ刃分割配線などと、銅電気配線が、太く成る程分割配線し易く成り、電気機器のＡＣアダプタに活用する事も、出来る為、必要とする電気量を本体に取り入れ
残りを、家庭電気に戻す方法が有る。
この他、電磁石の大きなモーターのモーター取り込み配線などは、、直線コイルの他、スクリュー配線にする事によって、電気スピードを上げる事が、出来る配線に成り、電
気の通るプラスチックに固形窒素とフロンガスを閉じ込めた冷却配線または、冷却絶縁体に、銅筒官を、コイル状に巻いた電気配線を、使用するだけで、電気スピードを上げ
る事が出来る。
従って、高速電気は、電気消費を下げる為、電気製品のダイオードスイッチを、軽水素トリチウム電子入りスイッチ等に、次々に変えなければ、対応出来なく成る程、電気ス
ピードは、上がる事に成る。
以上の大まかな装置を、組み合わせた電波送受信装置によって、高速電波が生まれ、新しい高速電波時代が始まり、データーの収録装置及びデーターの再生装置の電気使用技
術に成る。
他が、もし高速電波を可能にした技術が、存在したならば、銅筒官以外の超電導コイル配線に成り、高出力電磁石は、軽水素トリチウム電子内蔵の圧電素子磁石体以外の磁性
体で有り、水素と軽水素以外と成る軽水素混合アルゴンガス及び軽水素混合ネオンガス及び軽水素混合アンモニアガスなどが、考えられるが、いずれにしても、不正競争防止
法によって、裁かれるべき財産使用に成り、高出力技術を発展させたのは、軽水素つまり、軽水素トリチウム電子で有り、更に熱瞬間磁気変換装置として、軽水素トリチウム
電子入りの圧電素子磁石体に成り、水素を使えばと聞かれれば、重水素のプルトニウムが、熱抵抗体に成って、超電導まで、行かなくても、超電導でも、不必要な電気熱抵抗
物質と成る為、水素を使用するより、軽水素の方が、発火性は残るが、爆発性を、取り除く為、蛍光ガスのネオン及びアルゴンガスの混合用に使用したり、水素ガスに入れる
事で、燃焼率は、上がると考えるが、飛行機の燃料及び、車のガソリンに混合する別のカプセルを、設ける事で、燃焼力は、上がるが、自然破壊の為、避けたい技術に成る。
また、26の課題解決手段として、高出力静電発電モーターの説明の前に、通常の静電装置では、プラス静電気に成り、物質がマイナスに成るのが、通常で有り、特殊静電気発
生装置は、通常知られているプラス静電気発生装置とマイナス静電気を発生する物質を、使った特殊静電気装置を使うと、プラス静電気配線とマイナス静電気配線によって、
モーターなどを、回転作動させる事が出来る。
本発明では、プラス静電気発生装置を、静電気16分割以上の仕切り絶縁体を静電気絶縁壁板に設置して、モーター内コイルと軸間にプラス静電気発生装置を設置して、反対側
にマイナス静電発生装置を取り付けた16以上の絶縁体仕切り分割した静電気16分割以上仕切り板によって、静電気量を、平均に整える為の装置で有り、コイルの片面上下先端
2ケ所には、静電気遮断絶縁片側装置をする際、絶縁コイルシートによって、コイル静電気磁気反発を防いだ装置で有り、モーターの回転エネルギーで、比較的無理の掛らない
静電気発生装置を、内蔵した他社に、例の無い比較的軽いモーターの電気補助の静電気発生装置を、乗せた装置で有る。
他の発電モーター例
この他、モーター熱を、軽水素トリチウム電子入り圧電素子磁石体粒子内蔵シリコン熱発電パネルシートを内蔵積載した絶縁体有りのモーター等が有り、高出力ダイナモ内蔵
モーターで有り、高出力電磁誘導発電装置内蔵モーター等が有り、静電気吸収の良い軽水素トリチウム電子入り圧電素子磁石体以上の、静電気吸収体を考えて行かなければ成
らない。
【００３８】
また、27の課題解決手段として、パソコンタッチキーの新技術として、パソコンの液晶画面に、人が近ずくと撮影と、指液晶タッチ文章及びパソコンキーで、文書認識させる
と、パソコンカメラ状に人が写ると、人形状認識によって、全自動で人形状を、カラー色組合せの色組み合わせの形状認識によって、パソコンカメラが、人及び動物及び物体
を、全自動認識して、パソコンカメラの防犯カメラなどとして、活用出来る装置で有る。
この他、パソコンカメラを、撮影用として利用する場合、パソコンの液晶に、文章で、シャッター5分前と指タッチ文章で、書き込んだ場合、液晶指タッチ液晶文章認識を行う
事で、5分後音声連絡後、パソコンカメラタッチキー認識によって、カメラ全自動撮影が出来るパソコンの画面タッチキーの認識装置に成り、この場合、パソコンの画面上に、
引き続き、文章画面タッチボタンによって、長い文章を、一つずつ理解して、全自動パソコン機能作動が出来る装置で有る。
従って、ノーマル回路カメラの、タッチ液晶カメラ等では、カメラシャッタータイマー時間を、半永久時間設定出来る装置で有る。
この他、ロボットの液晶タッチパネルの文字及び文章認識ロボット等に、使用出来る世界初の技術で有る。
その為、液晶に、タッチする文字を一つ一つ記録文書認識出来る磁気カード回路を、内蔵設置した液晶タッチ画面パネルの文字文章認識確認認知システムで有る。
この他、音声を、マイク音声波に、変えて、音声を音声波圧電素子磁気記録の比較認識する事で゛、音声を、パソコン文章書き込み認識出来る装置で有る。
この場合、マイク音声認識する場合、人の音声を、予め認識録音した、音声の一つ一つの、データー記録する又は、一つ一つの個人の音声圧電素子チップによって、パソコン
マイクに登録して有る音声を、認識して、文字文章を、パソコン画面状に、表示する装置で有り、防音装置の有る部屋のパソコンの音声文字変換装置は、パソコンのキーが打
てなくても、パソコン入力出来る世界初の技術で有るが、音声認識装置は、ナショナルとＢＭに成り、特許切れと成り、音声を、認識した装置として、カーナビゲイションが、
有名で有り、海外特許切れの可能性が、高い特許物件で有り、音声を、文章認識する為には、分野分野のＣＤ及びＤＶＤ及びカード等の音声文章データ記録装置が、有るとス
ムーズムに、音声を文書化出来る事に成る。
例えば、緊急と言う文字だけを、パソコン及び携帯電話及び無線機に、内蔵する事によって、119番及び110番の緊急の音声連絡も、可能に成る。
この他、髪の毛に、接着する、髪の毛型ソーラーパネル髪の毛充電型、電波発信装置又は、耳掛け型の、超小型ＧＰＳ位置認識出来る装置を、人にプレスレット及び髪カバー
及びペンダント型等の、ＧＰＳ位置認識によって、パソコンの地図画面上に、ＧＰＳ電波登録位置確認認識装置によって、居場所が分かったり出来る装置も有る。
更に、衛星ＧＰＳの他、山岳ヘリコプターの名称の、新2連振子型機械式発電機を積載した航空定位置地図内蔵の電波送受信装置を、内蔵したＧＰＳと少し異成った、位置確認
の送受信装置に、よって、24時間の全自動海底データー及び24時間の航空全自動データー画面及び音声データーの全自動パソコン連絡が、可能に成り、超小型人工ロボット衛
星を、使った宇宙のパソコン画面実況閲覧出来るシステムは、個人で、超小型ロボット衛星を、自費で打ち上げなければ成らないのが欠点で有る。
【発明の効果】
【００３９】
上述したように、本考案の発電タッチパソコンは、発酵熱発電池と高出力発電回路によって、24時間充電池の電気量を満タンにする事が、出来て、日中は、高出力ソーラーパ
ネルによって、夜でも、発電可能な高出力軽水素トリチウム電子入りア圧電素子磁石体粒子入りシリコンソーラーパネルは、圧電素子4電子磁気分割装置を積載内臓する事で、
他社と異なる充電無しのパソコン使用が出来る。
この他、修理費を、電気屋または、商品販売会社から、修理代を、少なく見積もっても、最低1万5千円取られる修理代を、部品交換だけで済む構造にする事で、デフレ対策を
行い、パソコンキーを音のしない電波遮断タッチキーと特許切れの液晶タッチキーの2種類のパソコンキーによって、より静かなパソコン操作を目指す事と弱者貧困社会自立の
財団設立為の発電タッチパソコンによって、海外商品販売利益によって、1日も早い国の全額借金返済を目指す為の発電タッチパソコンで有る。
【産業上の利用可能性】
【００４０】
本発明の、図1の4の電気熱発電液晶は、瞬間に軽水素トリチウム電子入り圧電素子磁石体粒子内蔵シリコンパネルシートに成り、高出力ソーラーパネルとして、使用したり、
自動車の外のソーラーパネル材の他、内側の太陽光熱瞬間吸収発電パネル材は、あらゆる機械の内装の太陽光瞬間熱吸収発電パネル材として、使用可能に成り、ソーラーカー
の自動車内部の熱吸収発電装置は、他社に無く、エンジンルーム及び自動車の車体底に貼る事によって、停車中の外気温を、瞬間熱吸収発電出来る装置は、他社に、例が無く、
原子力発電所の熱吸収発電パネル及び火力発電所及び一般工場の瞬間熱吸収発電パネルは、台所のキチンパネルに貼り付ける事で、熱の瞬間吸収発電装置に成る。
この他、調理器具の金属を、二重構造にした、熱瞬間吸収発電パネルを、内蔵した調理器具などが、産業上の利用可能性に成り、これから作る企業向けの加熱温度を使用した
全自動調理器具の、熱瞬間吸収発電装置までに成り、本発明の熱瞬間吸収発電出来る電気熱発電液晶は、国会の民主党の進めるエコ商品の、新技術が、多く出来て、国と都道
府県市町村区の共同で、墫野和夫が、国の全額借金返済事業と都道府県市町村区の全額借金返済事業を、国会が、認めたならば、原子力廃棄物を、多く産出する原子力発電所
を、無くす事が出来る。
【００４１】
本発明の、図1の5の表裏両面ホース磁気カード内蔵卵空洞ＭＤ装置は、表裏両面ＣＤ及び表裏両面ＤＶＤは、傷が付き易く、管理が、重要視される為、2002年の著作権先技術
の北海道庁知事郵便物受理書図によって、表裏両面ＣＤと表裏両面ＤＶＤの著作権先技術の進化形が、表裏両面卵型空洞のＭＤ技術に成り、多少の取扱では、表裏両面ＣＤの
表面の傷は、付かない為、管理し易い。
従って、スピード重視の時代対応商品としは、カードと異成る為、データーの破損が、大きい為、情報装置の表裏両面ＤＶＤ及びＣＤのチャンバー情報装置チャンバーに使用
したり、スーパーコンピューターに積載内臓したりする技術によって、従来の海外技術の、情報装置と海外技術のスーパーコンピュータのテープ技術から、更に進化した表裏
両面ＣＤ技術と表裏両面ＤＶＤ技術に成り、パソコン等では、表裏両面ホース磁気カード内蔵卵型空洞ＭＤ技術に成り、二層録画及び三層録画のＤＶＤは、高出力ＤＣブラシ
レスモーター新技術によって、ＤＶＤの多層式切換えが、可能に成り、ＤＣブラシレスモーターの64分割以上のモーター軸円周分割を、行う技術ならば、二層方式のＤＶＤで
も、スムーズム作動出来るが、本田技研のＤＣブラシスモーターのモーター軸分割では、電気製品のＤＶＤの二層方式の再生に於いて、早送り及び巻き戻しのスムーズムな作
動が、難しく成り、本発明の高出力ＤＣブラシレスモーターを使ったモーター軸は、64分割などが有るが、64分割以上の128分割モーター軸分割は、128個の磁極切換えの為の
インバータ装置が必要に成る。
更に、高出力銅筒官電気配線も、必要になるが、多層式のＤＶＤの早送り及び巻き戻しが、スムーズムに成るが、通常モーター及びソニー方式のモーターでは、ＤＶＤ多層方
式では、スムーズムな作動は出来ないのも、実際に使用しての実感説明に成る。
【００４２】
本発明の、図1の4の発電液晶と7のテレビ携帯電話インターネットタッチ液晶パネルと8のナビゲイションテレビロボットタッチ液晶パネルの用に、三つ以上の複数画像パネル
または、液晶パネルを、使った別デザインとして、二つ折り、液晶タッチパネルパソコンが有り、この他、二つ折り発電画像パネルのタッチナビゲイションデザインが有り、
自動車は、通常、カーナビゲイション又は、スピードメータに成るが、タッチパネル画像では、自動車のバックミラー発電画像パネル液晶二つと、自動車の日よけ発電画像パ
ネル液晶装置及び、ニャンワン全自動掃除機の、ワンタッチ収納発電画像パネル及び発電液晶と複数分割の曲面画像パネル及び複数分割の曲面液晶装置によって、ニャンワン
の毛を、画像表現した全自動掃除機だが、電源には、新2連振子型機械式発電機を積載した新技術の全自動猫デザイン掃除機及び犬デザイン掃除機で有る。
この他、人型ロボットの、複数分割曲面発電画像パネルで有り、人の血管血流及び内蔵及び皮膚及び毛の画像パネル表現が、出来る装置に成り、ロボットは、ＣＴスキャンの
超小型ロボットカメラが、内蔵に成っており、人のＣＴスキャン画像を、表現出来る放射線内蔵シリコンクリスタルガラスパネルカメラを、内蔵した新技術の人間ドッグの社
会無料奉仕型の人型ロボットに成る。
【００４３】
本発明の、図1の207のパソコンのダブルカメラの場合、新技術の2連振子型自動充電池を使ったヘットバンド型のライト付き前後左右カメラのイヤホンタイプスピーカータイプ
は、特許切れのＧＰＳを、超小型の形態電話より、小さくした発電回路内蔵と電気熱発電方式のＧＰＳなどを使用する事で、盲目者の目の役割を、人形状認識カメラと動物形
状認識カメラと物体形状認識カメラによって、更に、目印形状のＧＰＳ地図とデータ照合によって、数センチタイプまでの、地図形状データーを自然写真記録タイプで、表現
出来る前後左右上下のライトカメラによって、飛行機及びヘリコプター及び船及び自動車及びロボットの全自動作動機器のカメラ使用説明に成る。
【００４４】
本発明の、図1の3のインターネットアンテナは、高出力銅筒官コイル配線と高出力コイルと高出力電磁石と高出力電気配線と高出力発電回路と人工ダイヤ刃電気圧分割装置な
どを、高速送受信装置の内部構造に成り、高速インターネットに、絶対必要な、高出力新技術に成り、テレビ関係で、放送された、高速インターネットは、ビル内及び自動車
内での、高速電波に必要な電源が、コードで賄う事の出来る場合だけの、高速インターネット技術が、紹介されているが、外部コード無しの高速インターネットパソコンも、
新2連振子型自動充電池を積載内臓したインターネットアンテナ新技術。
【００４５】
本発明の、図1の6の電波遮断キーは、別名弱電波遮断装置と言い、本または、電気製品に、超小型電池または、超小型自動電池または、超小型ソーラーパネルと充電池と発電
回路を内蔵した超小型電波送受信装置別名、ＩＣタグは、2001年9月の著作権先技術に成り、トヨタ自動車の電波センサー付き自動車は、物体の跳ね返った電波を、受信する
電波センサーで有り、この他、北欧の全自動掃除機は、掃除機から壁に発信する電波の跳ねっ返りを、受信して、全自動移動する掃除機で有り、海外技術として、重機車両の
物体認識出来る電波センサー技術も、光反射と電波反射の二つを使った電波センサー装置が有るが、遮断水洗トイレの水位センサーは、丸浮金具スイッチだが、電波送信している
電波を、丸浮などで、するタイプは、他に無く、温度を、水銀球と軽量球体で、光遮断して、温度を認識するタイプの温度の全自動連絡装置も他に無い。
【００４６】
本発明の、図1の193のタッチパットは、人型ロボットのセンサー皮膚に応用すると同時に複数重ねセンサーとして、温度センサーパネルシートと湿度センサーパネルシートと
金属センサーパネルシートと光センサーパネルシートと煙センサーパネルシートと音波センサーパネルシートによる物体の硬度センサーパネルシートの組合せ重ねによって、
人型ロボットの指の皮膚構造の応用技術に成り、追加技術として、超小型温度認識指紋点型ロボット温度認識カメラ等の、応用によって人型ロボットの皮膚構造部分だけが出
来る。
【００４７】
本発明の、図1の10の発酵熱発電池は、発酵材から、発生するガス燃焼発電は、発酵バイオ発電で有るが、発酵熱を、瞬間に熱吸収の熱磁気変換発電方法として、トイレの発酵
熱発電装置は、軽水素トリチウム電子入り圧電素子磁石体粒子内蔵シリコン熱吸収発電パネルと発砲スチロール粒に樹脂シートを複数重ねにした外気完全遮断パネルシートを、
寒冷地トイレの外周に囲う事で外気熱遮断を、行い、トイレ全体は、電動モーター仕切り弁を使用した密封型発酵タンク構造に成り、このままでは、発酵ガス膨張する為、発
酵ガス処理に、発酵ガス遠心分離機に因る、アンモニアガスとメタンガスと、水素と酸素に別れる為、アンモニアガスとメタンガスは、酸素だけにする為に、アンモニア成分
とメタン成分だけを、別の発酵タンクに入れて、微生物発酵または、水中ミドリ虫等によって、水草肥料吸収を、一度行って、家畜肥料など、緑肥粉肥料に変える方法手段で
有る。
【００４８】
本発明の、図2の9の軽水素アルゴン入りシリコンダイオード画像パネル発電シートは、別名軽水素ネオン入りシリコンダイオード画像パネルシートを使った超薄型映像パネル
シートは、パイオニアの超薄型パネルが有るが、発電出来る超薄型映像パネルは、他社に無い新技術で有り、先技術著作権で有る。
【００４９】
本発明の、図2の軽水素トリチウム電子入りシリコン網シート内蔵プラスチック2枚合わせ光熱発電ガラスは、デザイン絵ガラスの宣伝発電ガラス及び自動車及び建設機械等の、
発電ガラス使用の他、ステンドデザインガラスの発電ガラス構造は、二枚合わせクリスタルガラスの間に、軽水素トリチウム電子入りカラー着色圧電素子磁石体粒子網入りシ
リコンを、二枚合わせクリスタルガラスの間に入れた高出力発電物質を使った異形ステンドガラスで有る。
【００５０】
本発明の、図3の19の組み立て解体用ボルトナットは、ポルトナット穴は、カラーシートの貼り付けまたは、ポルトナット穴部分が、パソコン本体と、区別されていなければ、
全自動パソコン組み立て技術に於いて、ボルトナット穴の形状位置のカメラ物体形状認識装置に成る。
更に、ポルトを、一個ずつ送りながら挟んでロボットドライバー締めは、ポルト全自動解体の為、カラー色点入りポルトは、カメラのボルト形状全自動確認認識装置によって、
パソコン組み立て解体を、全自動機械ロボット作成解体組立を可能にしているカラー点入りポルトナットで有る。
この他、ポルトナットの、凹凸に、電波カラー色ライン放射によって、全自動ロボットアーム位置とロボットカメラ位置の正確な位置を計って計測して、ロボットの全自動作
動が、出来る装置に成る。
この他、パソコン本体のかばーに、ゴムシートを貼り付ける事によって、パソコン等のプラスチックの傷防止を行う事の出来る装置。
【００５１】
本発明の、図3の18の、デザイン多色型軽水素トリチウム電子入りソーラーパネルシートは、宣伝用パネル型のソーラーパネルは、他社に無い著作権新技術に成る。
【００５２】
本発明の、図4の20のパソコン回路分割アダプタボックスは、テレビ等でも、回路分割アダプタボックスを内蔵積載した装置で有り、電子レンジ回路の回路分割アダプタボック
ス形状の電子レンジなど、あらゆる電気製品の簡単な回路分割装置によって、回路部品交換が、過去の電気製品の用に、誰でも、交換出来る次世代型回路分割アダプタボック
スで有る。
この場合、これから、建設予定のリニアーモーターカーの底空間に、入れたり、シールド地下下水道管の天井壁に取り付けたり、線路の間に這わせるケーブル配線構造に成り、
固形窒素入りプラスチックと固形窒素入りグラスファイバーとの複数構造配管が、必要視される。
【００５３】
本発明の、図5の22の地上デジタルチューナボックスは、介護人型ロボットのテレビ画像に使用積載する超小型地上デジタルチューナボックスは、今後宇宙インターネットは、
地上の電波と異なるスクリュー高速波を使用する事で、宇宙空間を、超高速波で、進む電波などが、地下電波配管の未来技術は、複数の配管電波中継基地を、設ける事で、電
波電気配線量を少なくする技術によって、工事費削減を、目指した配管の電波中継増幅装置は、配管にボルトカバー付きの、装置で有る。この場合、高速スクリュー波を、使
用する事で、何も無い配管の中を、高速電波移動出来る装置で有る。
この場合、高速電波発電装置または、新2連振子型自動充電池によって、電波中継増幅装置の電源活用にしたい。
【００５４】
本発明の、図7の32の衛星デジタルチューナボックスは、衛星アンテナに、リモコン作動型のデジタルテレビ波変換装置は、災害時に、無料の衛星災害放送を、携帯電話などで
24時間見れる災害時に見れる無料の衛星災害放送は、子供の虐待対策に対して、地域事の衛星テレビ紹介手段で有り、電源として、ソーラーパネルを、衛星アンテナの後面と、
衛生アンテナ自体を、黒に変えたり、軽水素トリチウム電子入り衛星アンテナ樹脂にする事で、衛星アンテナキャッチした太陽光熱を、軽水素トリチウム電子入り圧電素子磁
石体粒子内蔵シリコンパネル光熱発電パネルシートを、衛生アンテナ樹脂パネルに張り付けた構造の装置で有る。
【００５５】
本発明の、図8のＥＭカードの多情報カードは、テレビのカード及びカーナビゲイションカード及び、携帯電話カード文字無線積載用のカードあらゆる家電製品のカードに使用
予定で有り、宇宙ロボットのカード及び超高速船のカード及び最高速のプロペラ電気飛行機に積載するカード利用が有る。
【００５６】
本発明の、図9の58の多層構造ＩＣは、両面ＭＤテレビの回路及び自然体のカラー写真のテレポーテイションゲームの回路及び、ノーマルカラーカメラのノーマル回路及び医療
器具の回路及び両面ＭＤビデオカメラの回路等に積載。
【００５７】
本発明の、図10のハイスピードＣＰＵは、両面ＭＤテレビビデオの回路及び、自然体のカラー写真のテレポーテイションゲームの回路及び、ノーマルカラーカメラのノーマル
回路及び、医療器具の回路及び、両面ＭＤビデオカメラの回路等に積載。
【００５８】
本発明の、図11の63の省電気消費メモリＲＡＭは、両面ＭＤテレビビデオの回路及び、自然体の、カラ写真のテレポーテイションゲームの回路及び、ノーマルカラーカメラの
ノーマル回路及び、医療器具の回路及び、両面ＭＤビデオカメラの回路等に積載。
【００５９】
本発明の、図12の表裏両面ホース磁気カード内蔵卵型空洞ＭＤは、両面ＭＤテレビビデオの回路と、両面ＭＤゲーム回路及び両面ＭＤビデオカメラのＭＤに使用され、超小型
無線機及び、携帯電話及び、医療データ及び、情報装置の表裏両面ＭＤチャンバー情報装置及び、ロボットの、全自動捜査に使用する脳の役目にする、風景及び物資データの
収録機、音声認識データ及び、スーパーコンピュータのデーター収録装置及び、建設機械等の、全自動データー収録機及び、携帯電話等の中継基地の、データー収録機及び、
医療機器の、無線インターネットデーター収録及び携帯電話インターネットデーター収録及び人体取り付け全自動診察送受信装置データーの収録機、海底定位置全自動魚群デ
ーター観測機の、水中ライトカメラと魚群探知機データー収録機及び、全世界の国立公園及び国定公園の、24時間全自動観測データー収録機及び、河川及び湖のデーター収録
機及び、宇宙の観測用ロボットのデーター収録機及び、地中トンネルのライトカメラと地質探査装置と金属探査装置と地質温度検知機の地質データー収録機及び、地下下水道
設備の全自動下水道温度データーと下水道物質データーの全自動収録機及び、核施設全自動地図認識探査ロボットのデーター収録機及び、超小型円球回転ロボット人体探査ロ
ボットの、全自動ロボット人体内動物体内のロボット手術及び、将来的の人の介護に係る映像データと音声データ収録装置等に使用する予定で有る。
【００６０】
本発明の、図13の映像波ノイズ取り除き装置は、あらゆる映像装置に使用出来て、ネオンガス入り圧電素子磁石体回路チップは、音声回路のノイズ取り除き装置にも、使用出
来る装置で有る。
【００６１】
本発明の、図14の映像電波ゴースト取り除き装置は、あらゆる映像装置に使用出来て、アルゴン軽水素入り圧電素子磁石体回路チップは、音声回路のノイズゴーストも、取り
除いて、整流音声波に直す事が出来る。
【００６２】
本発明の、図15の高出力ＤＣブラシレスインバータ制御発電レールモーターは、あらゆる家電製品及び、あらゆる機械及びあらゆるモーター積載商品に使用出来る為、莫大な
利益を、全世界から得る事が出来る。
【００６３】
本発明の、図16の表裏両面のＭＤ両面赤外線レーザーの高出力ＤＣブラシレスインバータ制御発電レールモーターは、あらゆる表裏両面のＭＤ及びＣＤ及びＤＶＤの、両面レ
ーザーと回転に使用する高出力ＤＣブラシレスインバータ制御発電レールモーターが使用される事に成る。
【００６４】
本発明の、図17のパソコンタッチ画面に使用するワンタッチの、データー画面呼び出し手段は、テレビの、データー画面のテレビデーター録画ページのワンタッチ呼び出し方
法と視聴無料と位置連絡書き込み無料の、未来型の無料高速合成文字無線ネット時代は、お金の代わりに、24時間の、人体健康管理データーの無料提供による、現在のインタ
ーネットと異成る、電波送受信のコミニケイションの有りかたの新技術に使用積載予定で有り、日本の弱者一人一人の財団設立後に現在の、インターネットとは、異なる情報
社会の人の健康の保護と200年寿命の希望と道筋作りの為の設備社会作りに使用する。
【００６５】
本発明の、図18のパソコンタッチ画面に使用するワンタッチの、データー画面呼び出し手段に必要視されるパソコン画面の、ワンタッチ手段方法で有る。
【００６６】
本発明の、図19のパソコンなどの、リチューム充電池及び、水素ニッケル充電池に変わる、充電不要の発電池で有り、発酵材を使用した発電池は、あらゆる家電製品の電源及
び、充電不要の電気自動車及び全ての、モーターで作動する動力物体に積載内臓予定で有り、2年〜3年の交換不要と充電不要が、本発明の特徴で有る。
【００６７】
本発明の、図21のウイルス防御カードアンテナは、個々のインターネット通信だけが、出来る用にするシステムで有り、他の者の、インターネット介入が、絶対に出来ないシ
ステムで有り、将来は、現在のインターネットとは、全く別の電波を使った全世界の全額無料高速合成文字無線ネット装置等に、使用積載する事で、無料の他社の介入が、出
来なくて、ウイルス防御カードアンテナを、付けた者同志の送受信が、可能に成り、全世界無料組織のデーターの閲覧は可能に成る。
【００６８】
本発明の、図22の高出力発電回路は、あらゆる電気製品の増幅発電装置として、積載内臓予定で有り、自動充電池及び自動電池及び2連振子型自動充電池を積載した家電製品の
電気消費税カード及び全自動電気消費データー収録に対しての電気税は、現在の家電製品の外部電気使用に係る電気消費に、変わる無給油及び無充電方式装置積載使用に、係
る人道社会の共存自立社会の為に、絶対必要視される電気消費税カードで有り、海外所得税公開と海外所有財産公開と海外株所有財産公開と海外銀行所有財産公開によって、
国民全員で、電気消費税カードの、税金収集の取り決めが、必要視されると、同時に特許切れ財産の著作権使用料金の全世界公開義務と、特許切れでも、許可なく作れない著
作権物商品名の全世界公開義務などの法律が、必要視されるのは、現在の、人権無視の、お金の有る物と大学が、特別保護されて来た為によって作り上げた資本主義社会企業
国家による、国と都道府県市町村区の、完全赤字社会の固定社会作りの、全国の大学の考え方と全国の新聞の考え方と全国のテレビマスコミの考え方と全国のラジオマスコミ
の考え方と、国会議員の親戚縁戚企業保護だけの、考え方の為、現在の赤字国家と現在の赤字都道府県市町村区の赤字国家を、作り上げた理由として、原子力海外売電事業の
海外所得税の日本国税金収入ゼロの真実及び、海外原子力売電利益で、得た利益による海外利益の海外所得税を、日本国税金収入は、おそらくゼロ円で有る事実の為、海外原
子力売電事業利益による、原子力海外売電事業資本国家は、現在まで、海外の国々までも、原子力処理を、日本の原子力特許者が、絶対に行わないお金だけが、増え続ける資
本主義企業国家を、残念ながら、日本の官庁全員が、認めて容認し、一切変えなかったのが、現在の、原子力売電事業社会で有り、現在も、原子力廃棄物処理を、発明者本人
のテレビマスコミの顔写真付き公開は、絶対に無いのも、現状で有る。
従って、原子力を、減らす為の、高出力発電回路技術に成り、高出力発電回路技術と2連振子型機械式発電機等を、組み合わせた電気社会を、作る事で、現在の全世界の、株式
資産保有の、日本国企業と同等の資産を、得る事の出来る可能性は、有るが、実際に国際特許認定に成った場合、原子力株は、全て売られ、日本企業株も、全て売られるのも、
間違い無い時代が、必ず未来に来るのは、原子力のウランが、永久の資源で無い為、やがて、未来は、原子力売電資本主義日本国家と原子力売電資本主義全世界株国家は、破
産したり、紙切れに成る時代が、来るのも、原子力の処理自体を、原子力発明者自身が、公の場で説明していない事実で有り、無害な、高出力発電回路及び2連振子自動電池及
び、2連振子型機械式発電機は、原子力廃棄物を、絶対に作らない未来永劫の財産に成り、再利用が可能の為、将来性が有る。
【００６９】
本発明の、図23の、半液晶発電パネルは、半分だけ、枡目交互液晶パネルと軽水素入りアルゴンシリコン光熱発電網シートを、交互に合わせた半分液晶の、電気熱発電映像パ
ネルは、液晶の、シャープ独占事業時代に、対応した液晶の特許切れ対策に成り、液晶本来は、海外特許に成り、今後、特許切れ著作権契約の行方が、注目される時代で有り、
理由として、テレビマスコミは、一般庶民の、テレビ局内入場禁止と個人の著作権物の、無料のテレビマスコミ公開を、テレビ局側で、拒否する理由として、宣伝料金収入の
入る企業著作権公開を、する事で、企業財産権維持を計り、特許番号のテレビ局完全公開と特開番号のテレビ局完全公開と実用新案登録番号のテレビ局完全公開と著作権番号
即ち、著作権発生日が、完全に明確説明出来る著作権番号のテレビ局完全公開は、いずれの法律でも、公開義務を、法律に書いて無い為の理由と公開拒否の重い懲役20年以上
の法律による罰則すら、無い為、いつでも、新聞社側の、門前払いとテレビ局側の、門前払いが、公の場で成立したままに成り、平等な人権が、日本国内で、認める裁判官が
一人でも、入るならば、著作権の先技術の無視の勝手使用は、利益を得た全世界分の利益の横領罪と人権無視の詐欺罪にしか成らない。
従って、液晶の先技術自体が、シャープに無かった場合は、液晶使用の、特許切れ著作権の液晶契約は、液晶テレビ回路全ての新技術を、持たない限り、シャープの方が、低
価格液晶テレビパネル技術の利益額が、有利に成る為、少ないテレビ特許著作権技術契約は、同じ日本国内でも、避けるべき理由として、ガスブラウ官テレビの、超薄型技術
を、開発して、旧ゼネラルテレビの特許切れ著作権料契約の方が、安くて済む事に成り、映像パネル取り付け商品の著作権が、液晶使用をしなくて済む為、映像パネル取り付
け著作権の本人変換が、可能に成る事も、著作権法上有りえる事に成る。
更に、テレビ映像パネルの電気熱は、瞬間に電気変換出来る技術によって、シャープなど、日本の液晶パネル使用各社の技術を、超える事の出来る新技術に成り、日本の弱者
国民が、永遠に税金として、支払続けなければ成らない国の全額900兆円越えの借金全額返済と都道府県市町村区の全額借金返済の一つの道筋を、作る為の、新技術に成る。
問題視される海外外資系日本企業の海外所得税の未払い事情説明
現在の、海外の外資系の日本企業の、特許の商品明示義務が無い為、特許権認定で無い特許商品に対して、特許権料金として、国民が支払っているのが、携帯電話は、特許権
20年の内、10年以上が、既に無くなっている現在でも、最低5万以上の特許権料金を、上乗せさせられてるのも、実情で有り、一例として、ソーラー携帯が、10万で有り、企業
が、5万負担していると言うが、ソーラーパネル積載電商品は、特許切れの為、安い著作権使用料金に成り、ソーラーパネル自体が、特別の充電機能が無い為、不当な商品の料
金請求に成り、特許番号及び全世界の特許審査請求番号公開義務の法律と、不当に得た利益に、対しての横領罪を、法律によって認めない法の書き方によって、お金を返せば
無罪と言う、お金の有る資本主義と国から補助されて来た大学の資本主義特許提出主義社会によって、生み出した、お金を返せば良い事実と、示談金として、全世界の個人示
談金の最高額を、表示しない、日本企業弁護士によって、お金の無い低所得者の著作権の無断使用の、低料金賠償額示談に、持って行く理由として、日曜日の裁判所の低所得
者裁判の実施法の法律が、無い為、通常の仕事のする日に裁判所に何度も行かなければ成らない理由に成り、資金と生活難によって、弱者は、低価格の著作権使用料金の示談
金支払成立に持って行かれるのが通常に成る。
以上の事から、本発明の、半液晶の発電パネル技術は、企業同士の持ち株に対して、海外日本外資系株の持ち株によって、大学の一部の者などが、特許切れ著作権料の支払い
が、無い為、国税の著作権使用料金は、何処かに消えて来ていた現在までの、日本企業の著作権使用料金支払い領収書が、おそらく存在しない分だけ、日本国官庁が、著作権
先技術及び著作権特許文章財産使用料金は、特許権に成って無い特許公開物件に成り、今後の日本国のみならず、海外の特許切れ著作権使用料金の税金の行方が、現在まで、
絶対拒否して、取り上げなかった、新聞マスコミとテレビマスコミとラジオマスコミの、判断と、著作権使用料金に対する先著作権技術使用料金の、日本国民個人の、著作権
使用に対しての勝手使用の、判断説明を、どの様に行うのか、注目すべきマスコミ社会の現状と大学の現状と日本の官庁の個別個別の判断とした関連技術と認めない理由説明
が、明確に、法律に書いて無い現状のまま、不平等な著作権先技術の、無料の全世界の長年の大学の特許提出による、海外外資系財産全ての未公開に、因る不当な著作権先技
術行使利益なのも現状で有る。
新技術の半液晶発電パネルは、超薄型ガス発電画像パネル時代に向かう事に成る。
従って、今後、色々な面での、特許切れ著作権技術によっての、日本の大学と日本の全企業の著作権先技術を、認めるのか、認めないかの、日本の文部省と日本の特許庁と日
本の経済産業省と日本の国税庁全体の、先技術証明に成っている著作権物の先技術を、特許法の、先技術使用権として、認めるかの争いは、どうやらこれからの様で有る。
【００７０】
本発明の、図24のパソコン弱電波遮断キーは、携帯電話のタッチキー及び医療器具の、カラー光遮断キーに使用されたり、電話の中継基地のタッチキーに使用されたり、車の
ナビゲイションデーター書き込みの、キーボードに使用したり出切るが、エアーカーテンドアなどに、よって、パソコンの、弱電波遮断とカラー光遮断の弱点を、克服したり、
送風機を、併用して使用する事によって、蝿などの虫対策としている。
更に、絵文字組み合わせ無線などの、タッチ弱電波遮断キーによって、各電気製品の、キーボード部分のキーパネル取り換えと銅筒官コイル及び高出力電磁石及び電気熱発電
抵抗体及び、電気熱発電映像回路と電気熱発電音声回路とこれらを使った電波送受信装置と高出力発電回路などを、使用積載する事で、あらゆる分野の電気製品の、スイッチ
基盤の新しい新技術基盤の作成が、可能に成り、日本の他社のスイッチ基盤を使用しなくて済む時代が来る為、スイッチ基盤の1000円以下の部品時代が、来る事で、安いパソ
コンで、1万以下の超小型パソコンも、出来る可能性が有る。
【００７１】
本発明の、図25の、高出力静電発電モーターは、あらゆる家電製品のモーター使用積載に成り、静電物質を、モーター移動したり、静電物質を、スプリング方式に変える事で、
静電物質の交換時期を長くしたモーターを積載した、高出力静電発電モーターに成る。
【図面の簡単な説明】
【００７２】
【図１】本発明の実施形態を示す発電タッチパソコンの部分正面図
【図２】本発明の画像パネルの軽水素アルゴン入りシリコンダイオード画像パネルシート等の瞬間光熱吸収装置の設置図
【図３】本発明の発電タッチパソコンの補助発電デザインソーラーパネル装置の正面図
【図４】本発明のパソコン回路分割アダプタボックスの正面図
【図５】本発明の地上デジタルチューナボックスの正面図
【図６】本発明のＴＶチューナボックスの正面図
【図７】本発明の衛星デジタルチューナボックスの正面図
【図８】本発明のＥＭ多情報カードの正面図
【図９】本発明の多層構造ＩＣの正面図
【図１０】本発明のハイスピードＣＰＵの正面図
【図１１】本発明の省電気消費メモリＲＡＭの正面図
【図１２】本発明の表裏両面ホース磁気カード内蔵卵型空洞ＭＤ
【図１３】本発明の映像波ノイズ取り除き装置の正面図
【図１４】本発明の映像波電波ゴースト取り除き装置の正面図
【図１５】本発明の高出力ＤＣブラシレスインバータ制御熱発電レールモーター部分説明図
【図１６】本発明の高出力ＤＣブラシレスインバータ制御熱発電レールモーターの横面図
【図１７】本発明のタッチ画面のデーター処理方法の説明その1図
【図１８】本発明のタッチ画面のデーター処理方法の説明その2図
【図１９】本発明の発酵熱発電池の構造説明図
【図２０】従来のパソコン構造説明図
【図２１】本発明のウイルス防御カードアンテナ構造説明図
【図２２】本発明の高出力発電回路の構造説明図
【図２３】本発明の半液晶の発電パネルの構造説明図
【図２４】本発明のパソコン弱電波遮断キーの説明図
【図２５】本発明の特許提出の請求項10,11,12の送達文書の写し図
【図２６】本発明の北海道庁提出の先技術発明の著作権文書図
【図２７】本発明の北海道知事宛てに著作権先技術提出した時の封書証拠図
【図２８】本発明の北海道知事宛てに著作権の高出力モーターの追加技術を書いて提出した時の証拠図
【図２９】本発明の北海道知事宛てに著作権のパソコン回路の説明分子世を書いて提出した時の証拠図
【図３０】本発明の北海道知事宛てに著作権の自動車パソコンの一部説明図を提出した時の証拠図
【図３１】本発明の北海道知事宛てに著作権の静電気モーターの構造説明した証拠図
【図３２】本発明の発電タッチパソコンの請求項10〜12を特許庁に送った時の証拠図
【図３３】本発明の発電タッチパソコンの特許庁の特許願の証拠図
【発明を実施するための形態】
【００７３】
以下本発明の実施形態を図1〜図28に基ずいて説明する。
【００７４】
図1に、於いては、1は、発電タッチパソコン本体で有り、2は、携帯電話アンテナで有り、3は、インターネットアンテナで有り、別々の超小型電波送受信装置によって、作動
する装置で有り、4は、電気熱発電装置の11の軽水素トリチウム電子入り圧電素子磁気粒子内蔵電気熱発電シリコンパネルシートで有り、パソコンソーラーパネルの反対側のパ
ソコン本体画面の映像画面装置内部に内蔵されている映像パネル熱の瞬間吸収磁気発電装置で有り、5は、表裏両面ホース磁気カード内蔵卵型空洞ＭＤ装置で有り、6は、電波
遮断型タッチキーは、液晶タッチパソコンキーと異なるプラスチック絶縁板に、指が入る溝に入る構造の装置が90個以上有る指タッチ弱電波遮断型パソコンタッチキーで有る。
更に、7のテレビ携帯電話インタネットタッチ液晶パネルで有り、8のナビゲイションテレビロボット情報タッチ液晶パネルで有り、10は、発光熱発電池で有り、193はタッチパ
ッドで有る。
【００７５】
図2に、於いては9は、軽水素アルゴン入りシリコンダイオード画像パネル発電シートで有り、11の軽水素トリチウム電子入り圧電素子磁石体粒子内蔵電気熱発電シリコンパネ
ルシートで有り、12は、熱発電マイナス磁気電気取り込み配線で有り、13は、軽水素トリチウム電子入りシリコン網シート内蔵プラスチック2枚合わせ光熱発電ガラスで有り、
14は、熱発電プラス磁気電気取り込み配線で有り、15は、プラス映像波配線で有り、16は、マイナス映像配線によって、電気熱発電パネルなどが、取り付けられた構造の世界
最新技術が、取り付けられた装置で有る。
【００７６】
図3に、於いては、7のテレビ携帯電話インターネットタッチ液晶パネルは、ポルト止め構造でカバーを掛ける構造で有り、使わない時は、手乗せ0kの金属カバー及び強化プラ
スチックカバーが、溝にはめ込む構造に成ってる形状で有り、8のナビゲイションテレビロボット液晶に対しても、ポルト止め構造で有り、手乗せokカバーも、取り付け可能な
構造で有り、19の組み立て解体用ボルトナット止め構造は、古い電気製品の用に、誰でも、解体組立出来る構造にする事で、小学校及び中学校及び高校の誰でも、解体組立出
来る構造にして有り、誰でも修理可能な構造にして有り、193のタッチパットも、ポルトナット止め構造に成ってる。
更に、17の軽水素トリチウム電子入り圧電素子磁石体粒子内蔵アンテナは、パソコン表面の枠全体が、圧電素子磁石体粒子内蔵アンテナ構造に成って下り、パソコン表には、
18のデザイン多色型軽水素トリチウム電子入りソーラーパネルシートと軽水素トリチウム電子入り圧電素子磁石体粒子内蔵シリコン熱発電パネルの二枚合わせ重ねに成ってる
18のデザイン多色型軽水素トリチウム電子入りソーラーパネルシートで有り、世界で一番発電量の多いソーラーパネルで有り、圧電素子4電子磁気分割装置などによって、急速
充電が、可能に成ってる装置で有る。
【００７７】
図4に、於いては、パソコンの最新装置の10の発光熱発電池で有り、ボックス電池が、はめ込み構造に成って下り、取り外しが簡単な構造に成ってる。
更に、5の表裏両面ホース磁気カード内蔵卵型空洞ＭＤで有り、ＤＶＤ2層方式以上の録画録音が出来る装置積載で有り、21の外部インターフェース回路分割アダプタボックス
で有り、20のパソコン回路分割アダプタボックスを取り込み場所に取り外し可能なパソコン回路全体の装置が、収納され、誰でも、簡単に取り外せる構造に成ってる。
【００７８】
図5に、於いては、ノーマル波から、デジタル波へ移行した為、22の地上デジタルチューナボックスで有り、11の軽水素トリチウム電子入り圧電素子磁石体粒子内蔵シリコン熱
発電パネルシートカバーの中に、地上デジタル回路が、内蔵された構造に成り、17の圧電素子電波キャッチ体付きのも有り、23のプラス映像波差し込み口と24のマイナス映像
波差し込み口で有り、25のプラス音声波差し込み口で有り、26のマイナス音声波差し込み口で有り、電波送受信型のコードアンテナ無しのタイプも有る。
【００７９】
図6に、於いては、パソコンの27のＴＶチューナボックスで有り、超小型の取り外し取り付け可能なボックスはめ込み型で有り、11の軽水素トリチウム電子入り圧電素子磁石体
粒子内蔵シリコン熱発電パネルシートは、27のＴＶチューナボックスの内側全体の電気熱回収パネル発電構造に成っており、17の圧電素子電波キャッチ体構造の物も有り、28
のプラス映像波差し込み口で有り、29のマイナス映像波差し込み口で有り、30は、プラス音声波差し込み口で有り、31の、マイナス音声波差し込み口に成り、電波送受信型の
近距離送受信型も有る。
【００８０】
図7に、於いては、パソコンの32の衛星デジタルチューナボックスで有り、コード引き込みタイプと衛星波を室内まで、引き込んだのを、デジタル波及びノーマル波に切り換え
るタイプの装置で有り、コード引き込みタイプは、地下ケーブルテレビに成り、コード引き込みタイプに成り、野外では、車の天井にボタン式の開閉衛星アンテナを、コード
で引き込む事によって、衛生波を楽しむ事が出来る。
更に、33のプラス映像波差し込み口と成り、34のマイナス映像波差し込み口と成り、35のプラス音声波差し込み口と成り、36のマイナス音声波差し込み口と成り、37は、電波
絶縁体木材灰入りプラスチックシートによって、テレビ波及びラジオ波及び無線波及び携帯波の外部からの電波侵入を避けた構造に成ってる。
【００８１】
図8に、於いては、パソコンのＥＭカードの多情報カードは、カードの差し込み口は、40の多情報カードデータ録音録画防止カード構造にによって、他社の装置では、使用不可
能なカード口に成り、46の多色順認識絵暗号は、超小型ライトカメラによって、色彩の順番をカメラのＣＣＤカメラの映像確認装置とバーコード認識の赤外線認識装置によっ
て、カードの種類などの設定カード認識暗号を、認識出来る構造に成り、この他、44の暗号認識記録部分によって、カード認識出来る構造に成っており、セラミック磁気ミク
ロ点を複数使った磁気カード認識構造に成ってるタイプによって、カード暗号解読出来る装置によって、カードを読み込む場合、パソコン設定されて無いカードは、読み込み
不可能の文字が、パソコンに明記される構造に成ってる。
更に、45の多機能圧電素子メモチェック複数ＩＣが有り、プラスチック冷却材入りシートに圧電素子磁気を貼り付けたタイプなどが有り、41の多情報ＩＣ型軽水素トリチウム
電子入りダイオードスイッチ回路によって、磁気電子読み込み切換えに成っている装置で有り、42は、超薄型木材灰入りプラスチック絶縁体シートの上に11の軽水素トリチウ
ム電子入り圧電素子磁気粒子内蔵電気熱発電シリコンシートによって、38のＥＭカードの多情報カード熱瞬間吸収発電が、可能に成ってる装置で有り、カードカバーには、39
のシリコンゴム防水装置で有り、43の接着用突起物収納場所によって、カード接着によって絶縁構造に成っている。
【００８２】
図9に、於いては、多配列ＩＣは、58の多層構造ＩＣ構造に成っており、59のダブル固定ポルト金具によって、多層列ＩＣを、62のフロンガス入り固形窒素内蔵牧草灰入りビニ
ール回路冷却絶縁シートを、58の多層構造ＩＣの表面の61の熱放出防止回路冷却シートに成っており、11の軽水素トリチウム電子入り圧電素子磁石体粒子内蔵電気熱発電シリ
コンパネルシートと、47の木材灰入りプラスチック絶縁体シートによって、磁気影響対策をしているが、場合によって、陶器粉絶縁プラスチックシートによって、11の軽水素
トリチウム電子入り圧電素子磁石体粒子内蔵電気熱発電シリコンパネルシートの磁気圧の58の多層構造ＩＣの磁気影響対策をしている装置で有る。
【００８３】
図10に、於いては、ハイスピードＣＰＵで有り、50のダイ複数ユニットには、デコーダ解説と塩酸ユニットとフェッチ読み込みとレジスタ記憶装置は、49のパッケージ回路配
線と48の回路配線固定金具構造に成っており、軽水素トリチウム電子入りシリコンマグネシウム冷却シート内蔵基盤に書き込むシステムに成っており、シリコンマグネシウム
シートを、プラスチック板に貼る新技術によって、ダイ複数ユニットのデータ書き込み方法に成ってる物も有り、50のダイ複数ユニットの裏面は、54のフロンガス固形窒素入
り炭素石灰綿液体ビニール凝固パネルにヒートスプレッダのＣＰＵクーラーが取りつく構造に成っている。
更に、58のＣＰＵ表面は、57のタンタルコンデンサーと圧電素子4電子磁気分割装置よって、ＣＰＵに入る熱電気を更に取り除いている装置で有り、11の軽水素トリチウム電子入り
圧電素子磁気粒子内蔵電気熱発電シリコンパネルシートを貼り付ける事によって、57のタンタルコンデンサー熱と53の圧電素子4電子磁気分割装置の熱を瞬間吸収出来る装置を貼り
付け、52のピン端子は、他の装置とピンのマザーボード部分と接合に成り、分割マザーボードに成り、47の木材灰入り絶縁体は、11の軽水素トリチウム電子入り圧電素子磁石
体粒子内蔵電気熱発電シリコンパネルシートの上に貼る構造に成ってる。
此の他、56のＣＰＵ固定金具4ケ所に成る。
【００８４】
図11に、於いては、63の省電気消費メモリＲＡＭは、軽水素トリチウム電子入りシリコンマグネシウム冷却シート内蔵基盤またはシリコンマグネシウムシート基盤によって、
64のメモリチップに成り、11の軽水素トリチウム電子入り圧電素子磁気粒子内蔵電気熱発電シリコンパネルシートと53の圧電素子4電子磁気分割装置と66の部材固定用溶剤注入
穴もしくは、差し込み型、もしくは、ポルト止めもしくは、ボックスはめこみ型に成り、電気熱発電シート装置が有る。
【００８５】
図12に、於いては、5の表裏両面ホース磁気カード内蔵卵型空洞ＭＤ装置は、74のＭＤ回転磁気穴に、上下の赤外線レーザー読み込み装置が、取り付く構造に成り、67の卵型空
洞録音録画再生位置によって、上下のＣＤ及び、例えばの仮のＤＶＤ表裏両面のＭＤ装置が、可能に成り、表裏両面のＣＤ及びＤＶＤの表面の柔らかいマグネシウム部分の傷
付き防止装置に成り、68の圧電素子多層磁気カードは、表裏両面は、古くは、レコードの両面などが有り、著作権主張に対して、レコードの蓄音器の著作権者の考え方次第に
成る。
この場合、日本企業は、例えば、蓄音器の現在の会社の株を、取得していれば、著作権料を、払わないで、勝手に製造販売まで、特許認定無しで、日本企業が、製品の販売ま
で、行う理由の一つで有り、他国が、先発明と先技術著作権保護しない理由が、第一次世界大戦と第二次世界大戦の戦後補償が、何一つ日本の国から、行われいないの理由に
対しては、中国では、先技術の著作権を、余り認めなかったが、現在は、特許加盟国に成って入る為、現在の考え方の有りかたをここまで、説明する新聞マスコミ及びテレビ
マスコミは、存在しない。
従って、ロシアの、戦争保障も、行って無いのが、現状で有り、アメリカ合衆国が、日本に、戦争保障を、求めて無い為、心の広い国として、アメリカ合衆国を、評価しても、
潰れる可能性も有るアメリカ合衆国で有り、沖縄等の、米軍基地等の問題に関しは、米軍重視の戦後補償なのか、不明確で有り、東南アジアでは、国の支援の要望として、過
去には、支援金要望大使が来ていた事が事実で有り、中国は、日本の援助を、受けずに最近まで、共産国として生活して来ていた。
本題の、5の表裏両面ホース磁気カード内蔵卵型空洞ＭＤ装置は、68の圧電素子多層磁気カードの、70のプラスデータ出力位置と71のマイナスデータ出力位置と72のプラスデー
タ入力位置と73のマイナスデータ入力位置に成り、69の磁気絶縁体装置を内蔵した最新型の入出力可能な世界初の、ＭＤ装置に成り、ＭＤの、67の卵型空洞録音録画再生位置
装置部分が、特許に成り、磁気多層式も、四か所に入れたのは、特許性が、カードの為、薄く成る説明は、特許料金の請求が、安く成る事で有り、他社では、特許性が、薄く
ても、先著作権が、有るだけで、不正競争防止法の為、作れ無く成り、著作権は、年月日作成日が、証明に成っていれば、不正競争に成るのは、日本の国自体が、満足に国民
一人一人に保障出来ない時代の先技術の著作権と不正競争に対しても、ここで書いて説明した大事な先技術説明。
【００８６】
図13に、於いては、75の映像波ノイズ取り除き装置は、77のプラスネオンガス入り圧電素子磁石体装置の磁気の一番強い部分に、76のプラスノイズ映像波取り込み回路配線が
取り付けられた装置で有り、79の整流プラス映像波銅板キャッチ体によって、76のプラスノイズ映像波回路配線のノイズを取り除いた80の整流プラス映像波ノイズを取り除い
た80の整流プラス映像波を取り出す事が出来る。
更に、83のマイナスネオンガス入り圧電素子磁石体装置の磁気の一番強い部分に、82のマイナスノイズ映像波取り込み回路配線が、取り付けられた装置で有り、85の整流マイ
ナス映像波キャッチ体によって、82のマイナスノイズ映像波回路配線のノイズを取り除いた86の整流マイナス映像波ノイズを取り除いた86の整流マイナス映像波を取り出す事
が出来る。
更に、11の軽水素トリチウム電子入り圧電素子磁石体粒子内蔵シリコン熱発電パネルシートを、75の映像波ノイズ取り除き装置に巻く事で、電気熱を瞬間回収して、電気に変
えている装置で有る。
【００８７】
図14に、於いては、85の映像電波ゴースト取り除き装置の90のプラスゴースト映像波は、圧電素子磁石体の88の、プラス軽水素アルゴン電子入り圧電素子磁石体に90のプラス
ゴースト映像波を通す事で、91のゴースト無しプラス映像波を得る事が、出来る装置で有り、92のマイナスゴースト映像波は、89のマイナス軽水素アルゴン電子入り圧電素子
磁石体に92のマイナスゴースト映像波を通す事で、93のゴースト無しマイナス映像波を得る事が出来る装置で有る。
更に、87の映像電波ゴースト取り除き装置の発生する熱を11の発電シートの95の軽水素トリチウム電子入り圧電素子磁石体粒子内蔵シリコン熱吸収発電シートを、94の二枚合
わせセラミックカバーに内蔵した装置で有る。
【００８８】
図15に、於いては、96の高出力ＤＣブラシレスインバータ制御発電レールモーターの98の人工合成永久磁石は、106の32個の絶縁体の100の鋼鉄複数穴空き磁石体に101の軽水素
トリチウム電子入り圧電素子磁石体と97の軽水素トリチウム電子入り圧電素子磁石体粒子内蔵電気熱発電シリコン複数穴空きシートを交互に貼り付けた構造に対して、電磁石
接合反発部分以外に、103の磁気電子シリコンシートの別名11の軽水素トリチウム電子入り圧電素子磁石体粒子内蔵電気熱発電シリコンパネルシートを、96の高出力ＤＣブラシ
レスインバータ制御発電レールモーターのモーター熱瞬間回収発電パネルシートとした装置で有る。
従って、99の16個のインバータ配線付きの高出力電磁石と104の16個のインバータ制御磁極切換え配線それぞれと、102のモーター軸に108の複数重ね高出力人工合成永久磁石を、
内蔵積載した熱瞬間吸収発電装置と高出力電磁石構造の二つの新技術積載の高出力ＤＣブラシレスインバータ制御発電レールモーターで有る。
【００８９】
図16に、於いては、5の表裏両面ホース磁気カード内蔵卵型空洞ＭＤ装置は、96の高出力ＤＣブラシレスインバータ制御発電レールモーターに、116のインバータを取り付けた
構造に対して110のモーター軸を取り付け、5の表裏両面ホース磁気カード内蔵卵型空洞ＭＤは、111のＭＤ軸穴は、113の上部赤外線レーザと114の下部赤外線レーザによって、
ＭＤのデータ読み込みを赤外線で行い書き込みを赤外線位置とレーザーで行う特許切れ装置で有り、113の上部赤外線レーザーは、112の上部赤外線レーザー移動モーター装置
によって、上部ＭＤ装置の読み込み書き込みを112の上部赤外線レーザー移動モーター装置によって、読み書き込みを可能にしている装置で有る。
【００９０】
図17に、於いては、パソコンの画面の7と8のタッチ画面は、他社に無い(連続全自動で117のデータ画面を、連続移動する事が出来る7と8の液晶タッチ画面で有る。
【００９１】
図18に、於いては、パソコンの画面の7と8のタッチ画面は、118のページ全自動数字カウンタと119のワンタッチページカウンタと120の行数全自動数字カウンタで有り、121の
行数全自動数字呼び出しカウンタ装置で有り、122のページ書き込み呼び出しカウンタ文章データを処理出来る装置で有る。
【００９２】
図19に、於いては、127の発酵熱発電池は、124の竹粒子麹菌砂糖キビ粒子入り軽水素酸素水内蔵発酵パネルに206の軽水素酸素水を入れる事によって、発酵を促し、123の軽水
素トリチウム電子入り圧電素子磁石体粒子内蔵シリコン熱発電パネルを取り付ける事で、発酵熱を、瞬間吸収して、熱磁気シリコン電子変化させてから瞬間に電気変換出来る
装置で有る。
更に、発酵熱を、外部温度によって、発酵熱活動停止等に成らない用に、125の発酵熱絶縁真空二重構造発電池で有り、124の竹粒子麹菌砂糖キビ粒子入り軽水素酸素水内蔵発
酵パネルは、140の複数穴空き軽水素トリチウム電子入り圧電素子磁石体複数配列電極パネルボックスを内蔵した125の発酵熱絶縁真空二重構造発電池に、126の冷却シートを1
27の発酵発電池の外部表面に内蔵貼り付けした世界初の127の発酵発電池で有る。
【００９３】
図20に、於いては、137の通常パソコン本体に成り、128の通常液晶で有り、129の片面ＤＶＤで有り、130のタッチパットで有り、131の指押しキーボードで有り、132のリチウ
ム充電池又は、水素ニッケル充電池で有り、133の外部接続ジャックで有り、134の外部電気コンセントで有り、135のチョウツガイ装置で有り、136の加工プラスチック表面デ
ザイン画で有り、138のスピーカーポリウムスイッチに成り、パソコンスイッチに移動したパソコン機能も有る。
【００９４】
図21に、於いては、141のウイルス防御カードアンテナは、161のインターネットデータ貯蓄カードジャック口は、146のウイルス防御カードジャック口に成り、148のマイナス
映像波取り込み口に成り、147のプラス映像波取り込み口に成り、149のプラス音声波取り込み口と150のマイナス音声波取り込み装置に成り、143のナット型取り換え軽水素ト
リチウム電子入り圧電素子磁気金属粒子アンテナ装置は、取り外し可能なアンテナ装置で有り、142の16局対応絶縁分割アンテナで有り、144は、16分割絵文字数字混合インタ
ーネット番号送受信装置は、145の第1インターネット番号照合装置で有り、151のプリントカメら磁気手相確認装置で有り、152の写真カメラ被写体パソコンカメラ輪郭形状確
認装置で有り、153の第2暗号確認装置で有り、154のインターネット目的無確認認証装置で有り、155の送信元位置確認装置で有り、156の第3暗号確認装置で有り、157の会社名
氏名確認装置で有り、158のパス暗号確認認識装置で有り、159の送受信クリアスイッチ回路で有り、160のダミースイッチ回路で有り、161のインターネットデータ貯蓄カード
ジャック口を構造とした141のウイルス防御カードアンテナに成る。
【００９５】
図22に、於いては、パソコンの電気消費量を、減らす為の高出力発電回路は、プラス高出力発電回路とマイナス高出力発電回路の二つが必要に成り、163の複数穴空きチタン酸
バリウム軽水素トリチウム電子内蔵パネルシートと164の軽水素トリチウム電子入り圧電素子磁石体パネルシートを交互に重ねた装置装置で有り、171の第1発電プラス回路で有
り、171の第1プラス発電回路に、165の高圧プラス電気を通す事で、169の増幅高圧プラス電気が、作る事が出来て、172の第2発電プラス回路に成り、173の第3発電プラス回路
で有り、173の第3発電プラス回路に、169の増幅高圧プラス電気を通す事で、増幅高圧プラス電気が作り出され、174の第4発電回路に増幅高圧プラス電気を高出力圧電素子磁石
体の磁気の強い部分から磁気の弱い部分に、流す事で、電気圧打撃発電を目的とした装置で有る。
更に、168の高出力マイナス圧電素子に、166の高圧マイナス電気を、流す事で、170の増幅高圧マイナス電気を作り出し、176の第2発電マイナス回路の168の高出力マイナス圧
電素子磁石体構造に成り、170の増幅高圧マイナス電気を、通す事で、更に増幅した170の増幅高圧マイナス電気を得る事が出来て、177の第3発電マイナス回路に、170の増幅高
圧マイナス電気を通す事に成り、高圧電気を通す事で、更に増幅した170の増幅高圧電気が、作る事が出来て、178の第4発電マイナス回路に、増幅した170の増幅高圧電気を通
す事で、更に、増幅したマイナス電気を得る事が、出来る装置なのが、162の高出力発電回路に成る。
【００９６】
図23に、於いては、バックライトを使わない映像装置に成り、液晶自体の技術は、海外技術で有り、映像映写技術では、海外パックライト映写技術が合ったのが、現状で有っ
たが、液晶の映像映写技術として、シャープが、先に提出した為、現在まで、日本国は、シャープが、液晶の先発明技術者だと、思われがちなのも、現状で有る。
この場合、シャープは、日本の最初のブラウン管テレビのゼネラル電気の、現在の富士通ゼネラルの古い特許者に、全世界のテレビパネルの著作権料金を、シャープが、テレ
ビパネル一台に対して、100円単位〜1000円単位までの、先技術著作権料を、支払って無ければ例えば、特許切れのスーパーコンピュータ及び高額な、船の機関装置及び、原子
力発電装置の制御システム料金が、特許切れの為、特許庁主張案では、ゼロ円に成り、高額な医療機器のＣＴスキャンも、日本の特許庁の特許切れ成らばの主張に成ると、Ｃ
Ｔスキャンも、特許切れ成らば、ゼロ円の特許切れ使用料金に成る理由は、これから書く半液晶発電パネル自体が、無い技術で有り、液晶パネル自体が、明るいバックライト
技術をしている事が、液晶の第1条件に成る。
従って、半液晶発電パネルは、178の軽水素入りアルゴンシリコン光熱発電網シートと軽水素入り液晶網シートが、交互に画像パネルが、一枚の画像パネルに成る形状に組立た
上で、半液晶パネルと後面は、178の軽水素入りアルゴンシリコン熱発電網シートの画像パネル後ろ光の光を、半分の液晶のバックライトの代用にする為に、181の複数針穴空
き軽水素入り夜行反射板と182の電気熱発電シート付き金属反射板を、交互に重ねた形状にする事で、バックライト無しの光を、軽水素入りアルゴンシリコン光熱発電網シート
に映像波を流す事で、軽水素トリチウム電子を多く含む為、アルゴンガスが映像波の映像発光するシートの後面の発光力を使用した技術に成る。
従って、光反射板の熱を、183の軽水素トリチウム電子入り夜光剤合成圧電素子磁石体
粒子内蔵シリコン画像画面光熱発電パネルシートによって、無駄にしている電気熱を、瞬
間熱吸収磁気電子変換発電装置によって、省電気消費のアルゴンガスの合成技術を使った半液晶発電パネルで有り、13の電気熱発電クリスタルガラスを、更に積載した半液晶
発電パネルで有る。
【００９７】
図24に、於いては、パソコン弱電波遮断キーは、液晶パネルタッチキーと異なる191の平板電波遮断タッチパソコンキーボードは、ボタンキーを無くし、平板の184の弱電波遮
断キーは、186の超小型弱電波送信装置と187の超小型弱電波受信装置で有り、185の弱電波受信装置は、軽水素トリチウム電子入り圧電素子電波キャッチ体で作られた構造で有
り、188の弱電波受信体部分は、189の電波絶縁管と192のプラスチック木材灰入り絶縁体部分に成る。
更に、190の軽水素トリチウム電子入り圧電素子磁石体弱電波キャッチ体構造の191の平板電波遮断タッチパソコンキーボードで有る。
【００９８】
図25に、於いては、パソコンに積載する201の高出力静電発電モーター高出力モーターを使用したモーター軸に、195のプラス静電発電装置と203の固定静電装置に成り、高出力
モーター軸を回転する事で、195のプラス静電発電装置を連続作動させて発電した静電気は、202の静電気絶縁壁板によって、195のプラス静電気を区別して、204の静電気絶縁
16分割以上仕切り板と205の静電気遮断絶縁片側装置と199の高出力銅筒官複数穴空きコイル配線構造に成っており、197の高出力人工合成永久磁石に静電気供給すると同時に20
1の高出力静電発電モーターは、プラスが、強く成る為、プラス電気量確認装置によって、マイナス電気量だけを、少し増やす事で、プラスマイナス電気の均一回転に成る201
の高出力静電発電モーターで有り、198は、高出力内コイル板に成る。
【００９９】
図26に、於いては、2010年7月19日新たに発明した、液晶画面に直接に指で触れて、文字や絵を描く事の出来る液晶タッチキーの先発明著作権物件を、郵便物年月日日ずけ証明
の為に、北海道知事に確認して頂いた物件で有り、パソコン画面に、シャッター1分と描けば、一分後シャッターを、音声連絡後、5秒後にシャッターパソコンカメラ撮影など
が、出来る液晶タッチ文字認識出来る装置の著作権先発明証明原本の証拠図。
【０１００】
図27に、於いては、2010年8月14日に書いた、発電タッチパソコンの図21と図22を、北海道知事に、先技術の著作権図面の年月日確認受理図として、北海道知事に郵送で送った
時の、証拠図で有る。
【０１０１】
図28に、於いては、2010年8月16日に書いた、発電タッチパソコンの、高出力モーターの別の新構造として、軽水素トリチウム電子入りチタン酸バリウムシートを燃えずらくし
た構造にする為に、木材灰を、軽水素トリチウム電子入りチタン酸バリウムシートに、燃えずらい物質を内蔵する事で、燃えずらくした軽水素トリチウム電子入りチタン酸バ
リウムシート構造説明に成る。
更に、高出力モーター鉄枠を、狭く細くして、高出力圧電素子磁石体の、軽水素トリチウム電子入り圧電素子磁石体面積を多くした高出力軽量モーター内コイル形状技術で有
る。
この他、高出力モーターの内コイル鉄枠を、軽量で丈夫な素材にする為に、軽水素トリチウム電子入り圧電素子磁石体粒子を、グラスファイバー溶液と木材灰を、混合合成し
た容液に、軽水素トリチウム電子入り圧電素子磁石体粒子を、混合内臓する事で、鉄枠同様の丈夫な超軽量の磁性体を、高出力モーター内枠にする事で、モーターの電気消費
を少なく出来る技術説明に成る。
【０１０２】
図29に、於いては、2010年8月18日に、パソコンのＣＰＵに使用する液体マグネシウムとＣＤ及びメモリＲＡＭ等に使用するＣＤ板は、特許切れの為、比較的熱に強いグラスフ
アィバーシートに、液体マグネシュームを流し込んで、振動と熱で、シート表面を、平にする新技術で有り、真空の部屋で、全自動処理する為、日本製の他社性より、コスト
ダウン出来る特許切れに対しての対策新技術で有る。
【０１０３】
図30に、於いては、2010年8月18日に、パソコンのカバーに使用する強化ゴムを、燃えずらくして、更に、静電防止する為の、強化ゴムに、木材灰を入れた構造の象徴的な、鉄
材を、更に少なくした、未来型の電気自動車の外部パネル図だが、静電気防止の木材灰を、強化ゴム及びグラスファイバー材及び樹脂に入れた素材で有り、石炭灰の静電気防
止材と陶器粉の静電気防止材などが有る。
この他、マイクの配線ゴムに、静電気防止材を入れたゴムなどは、電気配線の静電気防止材に成る。
【０１０４】
図31に、於いては、2010年8月20日に、パソコンのモーターに、積載使用とする為に、北海道知事に、提出した著作権先技術原本図で有り、高出力モーターの内コイル軸に、静
電気発生装置を、内蔵積載した装置で有り、静電気供給量調整装置に、よって、電気の流す量を、全自動調整出来る装置の説明図で有り、将来的に、進歩する電気補充装置の
説明図で有る。
【０１０５】
図32に、於いては、2010年8月16日に、日本の特許庁に、請求項10と請求項11と請求項12の発電タッチパソコンの部分提出に成り、提出した時の年月日証明領収書図で有る。
【０１０６】
図33に、於いては、2010年8月16日に、日本の特許庁に請求項10と請求項11と請求項12の発電タッチパソコンの部分提出の手書き原本写し図で有る。
【符号の説明】
【０１０７】
1    発電タッチパソコン
2    携帯アンテナ
3    インターネットアンテナ
4    電気熱発電液晶
5    表裏両面ホース磁気カードICMDカード    →表裏両面ホース磁気カード内蔵卵型空洞ＭＤ
6    電波遮断タッチキー
7    テレビ携帯電話インターネットタッチ液晶パネル
8    ナビゲイションテレビロボット情報タッチ液晶パネル 
9    軽水素アルゴン入りシリコンダイオード画像パネル発電シート
10   発酵熱発電池
11   軽水素トリチウム電子入り圧電素子磁石体粒子内蔵電気熱発電シリコンパネルシート
12   熱発電マイナス磁気電気取り込み配線
13   軽水素トリチウム電子入りシリコン網シート内蔵プラスチック2枚合わせ光熱発電液晶ガラス
14   熱発電プラス磁気電気取り込み配線
15   プラス映像配線
16   マイナス映像配線
17   軽水素トリチウム電子入り圧電素子磁石体粒子内蔵アンテナ
18   デザイン多色型軽水素トリチウム電子入りソーラーパネルシート
19   組立解体用ボルトナット 
20   パソコン回路分割アダプタボックス
21   外部インターフェース回路分割アダプタボックス
22   地上デジタルチューナボックス
23   プラス映像波ジャック差し込み口
24   マイナス映像波ジャック差し込み口
25   プラス音声波ジャック差し込み口
26   マイナス音声波ジャック差し込み口
27   ＴＶチューナー
28   プラス映像波ジャック差し込み口
29   マイナス映像波ジャック差し込み口
30   プラス音声波ジャック差し込み口
31   マイナス音声波ジャック差し込み口
32   衛生デジタルチューナボックス
33   プラス映像波ジャック差し込み口
34   マイナス映像波ジャック差し込み口
35   プラス音声波ジャック差し込み口
36   マイナス音声波ジャック差し込み口
37   木材灰入りプラスチックシート電波絶縁体
38   ＥＭカード→多情報多機能カード
39   シリコンゴム防水装置
40   多情報カードデーター録音録画防止カード
41   多情報ＩＣ型軽水素トリチウム電子入りダイオードスイッチ回路
42   超薄型木材灰入りプラスチック絶縁体
43   接着用突起物収納場所
44   暗号認識記録部分
45   多機能圧電素子メモチェック複数ＩＣ
46   多色順認識絵暗号
47   木材灰入りプラスチック絶縁体シート
48   回路配線固定金具
49   パッケージ回路配線
50   ダイ複数ユニット
51   軽水素トリチウム電子入りシリコンマグネシウム冷却シート内蔵基盤
52   ピン→端子
53   圧電素子4電子磁気分割装置
54   フロンガス固形窒素入り炭素石灰綿液体ビニール凝固パネル
55   ＣＰＵ表面
56   ＣＰＵ固定金具
57   タンタル個体コンデンサー→タンタル個体炭素入り軽水素トリチウム電子内蔵コンデンサー
58   多層構造ＩＣ
59   ダブル固定ポルト金具
60   多配列ＩＣ絶縁絶縁ライン付き配線
61   回路冷却シート
62   フロンガス入り固形窒素内蔵牧草灰入りビニール回路冷却絶縁シート
63   省電気消費メモリ→ＲＡＭ
64   メモリチップ
65   軽水素トリチウム電子入りシリコンマグネシウム冷却シート内蔵基盤
66   部材固定用溶剤注入穴
67   卵型空洞録音録画再生位置
68   圧電素子多層磁気カード
69   磁気絶縁体
70   プラスデーター出力位置
71   マイナスデーター出力位置
72   プラスデータ入力位置
73   マイナスデータ入力位置
74   ＭＤ回転軸穴
75   映像波ノイズ取り除き装置 
76   プラスノイズ映像波回路配線
77   プラスネオンガス入り圧電素子磁気体
78   マイナスネオンガス入り圧電素子磁気体
79   整流プラス映像波銅板キャッチ体
80   整流プラス映像波
81   セラミック絶縁体
82   マイナスノイズ取り除き装置
83   マイナス圧電素子磁石体
84   プラス圧電素子磁石体
85   整流マイナス映像波銅板キャッチ体
86   整流マイナス映像波
87   映像電波ゴースト取り除き装置
88   プラス軽水素アルゴン電子入り圧電素子磁石体
89   マイナス軽水素アルゴン電子入り圧電素子
90   プラスゴースト映像波
91   ゴースト無しプラス映像波
92   マイナスゴースト映像波
93   ゴースト無しマイナス映像波
94   二枚合わせセラミックカバー
95   軽水素トリチウム電子入り圧電素子磁石体粒子内蔵シリコン熱吸収発電シート
96   高出力ＤＣブラシレスインバータ制御発電レールモーター
97   軽水素トリチウム電子入り圧電素子磁気粒子内蔵電気熱発電シリコン複数穴空きシート
98   人工合成永久磁石
99   16個のインバータ配線付きの高出力電磁石
100  鋼鉄複数穴空き磁石体
101  軽水素トリチウム電子入り圧電素子磁石体
102  モーター軸穴
103  磁気電子シリコンシート
104  16個のインバータ制御磁極切換え配線
105  軽水素トリチウム電子入り圧電素子磁石体
106  32個の絶縁体
107  銅筒官配線
108  複数重ね高出力人工合成永久磁石
109  卵穴空洞
110  モーター軸
111  軸穴
112  上部赤外線レーザー全自動移動モーター装置
113  上部赤外線レーザー
114  下部赤外線レーザー
115  高出力電磁誘導発電装置
116  インバータ
117  データ画像
118  ページ全自動数字カウンター
119  ワンタッチページカウンター
120  行数全自動数字カウンター
121  行数全自動数字呼び出しカウンター
122  ページ数書き込み呼び出しカウンター
123  軽水素トリチウム電子入り圧電素子磁石体粒子内蔵シリコン熱発電パネル
124  竹粒子麹菌砂糖キビ粒子入り軽水素酸素水内蔵発酵パネル
125  発酵熱絶縁真空二重構造発電池
126  冷却シート
127  発酵熱発電池
128  通常液晶
129  片面ＤＶＤ
130  タッチパット
131  指押しキーボード
132  リチウム充電池→(水素ニッケル充電池)
133  外部接続ジャック
134  外部電気コンセント口
135  チョウツガイ
136  加工プラスチック板表面
137  通常パソコン本体
138  スピーカーポリウムスイッチ
139  イヤホンジャック口
140  複数穴空き軽水素トリチウム電子入り圧電素子磁石体複数配列電極パネルボックス
141  ウイルス防御カードアンテナ
142  16局対応絶縁分割アンテナ
143  ナット型取り換え軽水素トリチウム電子入り圧電素子磁気金属粒子アンテナ
144  16分割絵文字数字混合インターネット番号送受信装置
145  第1インターネット番号照合装置
146  ウイルス防御カードジャック口
147  プラス映像波取り込み口
148  マイナス映像波取り込み口
149  プラス音声波取り込み口
150  マイナス音声波取り込み口
151  プリントカメラ磁気手相確認装置
152  写真カメラ被写体パソコンカメラ輪郭形状確認装置
153  第2インターネット暗号確認装置
154  インターネット目的確認認証装置
155  送信元位置確認装置
156  第3インターネット暗号確認装置
157  会社名及び氏名確認装置
158  パス暗号確認認識装置
159  送受信クリアースイッチ回路
160  ダミースイッチ回路
161  インターネットデータ貯蓄カードジャック口
162  高出力発電回路
163  複数針穴空きチタン酸バリウム軽水素トリチウム電子内蔵パネルシート
164  軽水素トリチウム電子入り圧電素子磁石体パネルシート
165  高圧プラス電気
166  高圧マイナス電気
167  高出力プラス圧電素子
168  高出力マイナス圧電素子
169  増幅高圧プラス電気        
170  増幅高圧マイナス電気              
171  第1発電プラス回路
172  第2発電プラス回路
173  第3発電プラス回路  
174  第4発電プラス回路
175  第1発電マイナス回路
176  第2発電マイナス回路
177  第3発電マイナス回路
178  第4発電マイナス回路
179  軽水素入りアルゴンシリコン光熱発電網シート
180  軽水素入り液晶網シート
181  複数針穴空き軽水素入り夜光反射板
182  電気熱発電シート付き金属反射板
183  軽水素トリチウム電子入り夜光材合成圧電素子磁石体粒子内蔵シリコン画像画面光熱発電パネルシート
184  弱電波遮断キー
185  弱電波受信装置→軽水素トリチウム電子入り圧電素子磁石キャッチ体
186  超小型弱電波送信装置
187  超小型弱電波受信装置
188  弱電波受信体部分
189  弱電波絶縁管→電波絶縁管
190  軽水素トリチウム電子入り圧電素子磁石弱電波キャッチ体
191  平板電波遮断タッチパソコンキーボード
192  プラスチック木材灰入り絶縁部分
193  タッチパッド
194  モーター固定金具
195  プラス静電発電装置
196  マイナス静電気発生装置
197  高出力人工合成永久磁石
198  高出力内コイル板
199  高出力銅筒官コイル配線
200  高出力人工合成永久磁石
201  高出力静電発電モーター
202  静電気絶縁壁板
203  固定静電気発生装置
204  静電気絶縁16分割以上仕切り壁板
205  静電気遮断絶縁片側装置
206  軽水素酸素水
207  パソコンダブルカメラ→魚眼とつ合わせ一つ削りレンズ
【図１】
2011060294.tif 000003
【図２】
2011060294.tif 000004
【図３】
2011060294.tif 000005
【図４】
2011060294.tif 000006
【図５】
2011060294.tif 000007
【図６】
2011060294.tif 000008
【図７】
2011060294.tif 000009
【図８】
2011060294.tif 000010
【図９】
2011060294.tif 000011
【図１０】
2011060294.tif 000012
【図１１】
2011060294.tif 000013
【図１２】
2011060294.tif 000014
【図１３】
2011060294.tif 000015
【図１４】
2011060294.tif 000016
【図１５】
2011060294.tif 000017
【図１６】
2011060294.tif 000018
【図１７】
2011060294.tif 000019
【図１８】
2011060294.tif 000020
【図１９】
2011060294.tif 000021
【図２０】
2011060294.tif 000022
【図２１】
2011060294.tif 000023
【図２２】
2011060294.tif 000024
【図２３】
2011060294.tif 000025
【図２４】
2011060294.tif 000026
【図２５】
2011060294.tif 000027
【図２６】
2011060294.tif 000028
【図２７】
2011060294.tif 000029
【図２８】
2011060294.tif 000030
【図２９】
2011060294.tif 000031
【図３０】
2011060294.tif 000032
【図３１】
2011060294.tif 000033
【図３２】
2011060294.tif 000034
【図３３】
2011060294.tif 000035